(57)【特許請求の範囲】
【請求項１】
第１中継ノード（ＲＮ）であって、
プライマリセル（ＰＣｅｌｌ）のセルラ周波数帯域を通じてドナーエボルブドノードＢ（ＤｅＮＢ）と通信するセルラトランシーバと、
前記ＰＣｅｌｌ内のセカンダリセル（ＳＣｅｌｌ）のミリ波（ｍｍＷａｖｅ）周波数帯域を通じてバックホールリンクを介して第２ＲＮと通信するｍｍＷａｖｅトランシーバと、
前記ＰＣｅｌｌの前記セルラ周波数帯域を通じて前記セルラトランシーバにより受信された中継物理ダウンリンク制御チャネル（Ｒ−ＰＤＣＣＨ）メッセージを処理するコントローラであって、前記Ｒ−ＰＤＣＣＨメッセージは前記バックホールリンクを通じたダウンリンク割り当てをスケジューリングするクロスキャリアスケジューリング情報を含み、前記コントローラは前記ダウンリンク割り当て中に前記第２ＲＮからダウンリンクデータパケットを受信するように前記ｍｍＷａｖｅトランシーバをトリガする、前記コントローラと
を備え、
前記セルラトランシーバは、前記Ｒ−ＰＤＣＣＨメッセージを前記第２ＲＮから受信するものであり、
前記Ｒ−ＰＤＣＣＨメッセージはセカンダリＲ−ＰＤＣＣＨメッセージを含み、前記セルラトランシーバは、前記セルラ周波数帯域を通じた割り当てをスケジューリングするプライマリＲ−ＰＤＣＣＨメッセージを前記ＤｅＮＢから受信するものである、第１ＲＮ。
【請求項２】
前記コントローラは、前記ＤｅＮＢからの無線リソース制御（ＲＲＣ）メッセージに従って、前記ＤｅＮＢに対してはプライマリＲ−ＰＤＣＣＨセットのセッティングを、前記第２ＲＮに対してはセカンダリＲ−ＰＤＣＣＨセットのセッティングを、設定するものである、請求項１に記載の第１ＲＮ。
【請求項３】
第１中継ノード（ＲＮ）であって、
プライマリセル（ＰＣｅｌｌ）のセルラ周波数帯域を通じてドナーエボルブドノードＢ（ＤｅＮＢ）と通信するセルラトランシーバと、
前記ＰＣｅｌｌ内のセカンダリセル（ＳＣｅｌｌ）のミリ波（ｍｍＷａｖｅ）周波数帯域を通じてバックホールリンクを介して第２ＲＮと通信するｍｍＷａｖｅトランシーバと、
前記ＰＣｅｌｌの前記セルラ周波数帯域を通じて前記セルラトランシーバにより受信された中継物理ダウンリンク制御チャネル（Ｒ−ＰＤＣＣＨ）メッセージを処理するコントローラであって、前記Ｒ−ＰＤＣＣＨメッセージは前記バックホールリンクを通じたダウンリンク割り当てをスケジューリングするクロスキャリアスケジューリング情報を含み、前記コントローラは前記ダウンリンク割り当て中に前記第２ＲＮからダウンリンクデータパケットを受信するように前記ｍｍＷａｖｅトランシーバをトリガする、前記コントローラと
を備え、
前記セルラトランシーバは、前記Ｒ−ＰＤＣＣＨメッセージを前記第２ＲＮから受信するものであり、
前記コントローラは、前記ＤｅＮＢからのハンドオーバ要求に基づいて前記第１ＲＮを前記ＤｅＮＢから前記第２ＲＮにハンドオーバし、前記第２ＲＮへの前記ハンドオーバの後に前記第２ＲＮから前記Ｒ−ＰＤＣＣＨメッセージを受信するものである、第１ＲＮ。
【請求項４】
前記セルラトランシーバは、前記ＤｅＮＢから前記Ｒ−ＰＤＣＣＨメッセージを受信するものである、請求項１〜３のうちのいずれか１項に記載の第１ＲＮ。
【請求項５】
前記ダウンリンクデータパケットは、前記第２ＲＮを介して中継された前記ＤｅＮＢからのデータパケットを含む、請求項４に記載の第１ＲＮ。
【請求項６】
前記コントローラは、前記Ｒ−ＰＤＣＣＨメッセージと関連付けられた送信時間インターバル（ＴＴＩ）の間に前記バックホールリンクを介して前記ダウンリンクデータパケットを受信するように前記ｍｍＷａｖｅトランシーバをトリガするものである、請求項４に記載の第１ＲＮ。
【請求項７】
１または複数のアンテナと、メモリと、プロセッサとを備える、請求項１〜６のうちのいずれか１項に記載の第１ＲＮ。
【請求項８】
エボルブドノードＢ（ｅＮＢ）であって、
プライマリセル（ＰＣｅｌｌ）のセルラ周波数帯域を通じて第１中継ノード（ＲＮ）および第２ＲＮと通信するセルラトランシーバと、
ミリ波（ｍｍＷａｖｅ）周波数帯域を通じて第１バックホールリンクを介して前記第２ＲＮと通信するｍｍＷａｖｅトランシーバと、
前記第１ＲＮと前記第２ＲＮとの間の第２バックホールリンクを通じたダウンリンク割り当てをスケジューリングするクロスキャリアスケジューリング情報を含む中継物理ダウンリンク制御チャネル（Ｒ−ＰＤＣＣＨ）メッセージを前記第１ＲＮに送信するように前記セルラトランシーバをトリガするコントローラと
を備え、
前記コントローラは、第１送信時間インターバル（ＴＴＩ）の間に第１Ｒ−ＰＤＣＣＨメッセージを前記第２ＲＮに送信するように前記セルラトランシーバをトリガするものであり、前記第１Ｒ−ＰＤＣＣＨメッセージは、前記第１ＴＴＩの後の第２ＴＴＩの間の前記第２バックホールリンクを通じた前記第２ＲＮから前記第１ＲＮへのデータパケットのアップリンク送信をスケジューリングし、前記コントローラは、前記第２ＴＴＩの間に第２Ｒ−ＰＤＣＣＨメッセージを前記第１ＲＮに送信するように前記セルラトランシーバをトリガするものであり、前記第２Ｒ−ＰＤＣＣＨメッセージは、前記第１ＲＮでの前記第２ＲＮからの前記データパケットのダウンリンク受信をスケジューリングする、
ｅＮＢ。
【請求項９】
前記コントローラは、前記第２バックホールリンクを介して前記第１ＲＮへ中継されるべきデータパケットを前記第１バックホールリンクを介して前記第２ＲＮに送るように前記ｍｍＷａｖｅトランシーバをトリガするものである、請求項８に記載のｅＮＢ。
【請求項１０】
前記コントローラは、前記第２ＲＮによって前記データパケットが送られるべき送信時間インターバル（ＴＴＩ）をスケジューリングする前記Ｒ−ＰＤＣＣＨを送信するように前記セルラトランシーバをトリガするものである、請求項９に記載のｅＮＢ。
【請求項１１】
エボルブドノードＢ（ｅＮＢ）であって、
プライマリセル（ＰＣｅｌｌ）のセルラ周波数帯域を通じて第１中継ノード（ＲＮ）および第２ＲＮと通信するセルラトランシーバと、
ミリ波（ｍｍＷａｖｅ）周波数帯域を通じてバックホールリンクを介して前記第２ＲＮと通信するｍｍＷａｖｅトランシーバと、
前記ｅＮＢと前記第１ＲＮとの間で複数のプライマリ中継物理ダウンリンク制御チャネル（Ｒ−ＰＤＣＣＨ）メッセージを通信するプライマリＲ−ＰＤＣＣＨセットおよび前記第２ＲＮと前記第１ＲＮとの間で複数のセカンダリＲ−ＰＤＣＣＨメッセージを通信するセカンダリＲ−ＰＤＣＣＨセットを設定し、前記プライマリＲ−ＰＤＣＣＨセットおよび前記セカンダリＲ−ＰＤＣＣＨセットの設定情報を含むメッセージを前記第１ＲＮに送信するように前記セルラトランシーバをトリガするコントローラと
を備えるｅＮＢ。
【請求項１２】
エボルブドノードＢ（ｅＮＢ）であって、
プライマリセル（ＰＣｅｌｌ）のセルラ周波数帯域を通じて第１中継ノード（ＲＮ）および第２ＲＮと通信するセルラトランシーバと、
ミリ波（ｍｍＷａｖｅ）周波数帯域を通じてバックホールリンクを介して前記第２ＲＮと通信するｍｍＷａｖｅトランシーバと、
前記第１ＲＮを前記第２ＲＮへハンドオーバするハンドオーバ要求を前記第２ＲＮに送信するように前記セルラトランシーバをトリガし、前記第２ＲＮにアタッチするアタッチ要求を前記第１ＲＮに送信するように前記セルラトランシーバをトリガし、前記第１ＲＮへ中継されるべきデータパケットを前記バックホールリンクを介して前記第２ＲＮに送信するように前記ｍｍＷａｖｅトランシーバをトリガするコントローラと
を備えるｅＮＢ。
【請求項１３】
前記ＰＣｅｌｌのドナーｅＮＢ（ＤｅＮＢ）として動作する、請求項８〜１２のうちのいずれか１項に記載のｅＮＢ。
【請求項１４】
１または複数のアンテナ、メモリおよびプロセッサを含む、請求項８〜１３のうちのいずれか１項に記載のｅＮＢ。
【請求項１５】
請求項８〜１４のうちのいずれか１項に記載のｅＮＢを含むセルラ通信のシステム。
【請求項１６】
エボルブドノードＢ（ｅＮＢ）に、
プライマリセル（ＰＣｅｌｌ）のセルラ周波数帯域を通じて第１中継ノード（ＲＮ）および第２ＲＮと通信させ、
ミリ波（ｍｍＷａｖｅ）周波数帯域を通じてバックホールリンクを介して前記第２ＲＮと通信させ、
前記ｅＮＢと前記第１ＲＮとの間で複数のプライマリ中継物理ダウンリンク制御チャネル（Ｒ−ＰＤＣＣＨ）メッセージを通信するプライマリＲ−ＰＤＣＣＨセット、および、前記第２ＲＮと前記第１ＲＮとの間で複数のセカンダリＲ−ＰＤＣＣＨメッセージを通信するセカンダリＲ−ＰＤＣＣＨセットを設定させ、
前記プライマリＲ−ＰＤＣＣＨセットおよび前記セカンダリＲ−ＰＤＣＣＨセットの設定情報を含むメッセージを前記第１ＲＮに送信させる回路を含む装置。
【請求項１７】
前記メッセージは無線リソース制御（ＲＲＣ）メッセージを含む、請求項１６に記載の装置。
【請求項１８】
エボルブドノードＢ（ｅＮＢ）に、
プライマリセル（ＰＣｅｌｌ）のセルラ周波数帯域を通じて第１中継ノード（ＲＮ）および第２ＲＮと通信させ、
ミリ波（ｍｍＷａｖｅ）周波数帯域を通じてバックホールリンクを介して前記第２ＲＮと通信させ、
前記第１ＲＮを前記第２ＲＮへハンドオーバするハンドオーバ要求を前記第２ＲＮに送信させ、
前記第２ＲＮにアタッチするアタッチ要求を前記第１ＲＮに送信させ、
前記第１ＲＮへ中継されるべきデータパケットを前記バックホールリンクを介して前記第２ＲＮに送信させる回路を含む装置。
【請求項１９】
前記ｅＮＢに、前記第１ＲＮへ中継されるべきデータパケットを、前記バックホールリンクを介して前記第２ＲＮに送らせる、請求項１６〜１８のうちのいずれか１項に記載の装置。
【請求項２０】
エボルブドノードＢ（ｅＮＢ）に、
プライマリセル（ＰＣｅｌｌ）のセルラ周波数帯域を通じて第１中継ノード（ＲＮ）および第２ＲＮと通信させ、
ミリ波（ｍｍＷａｖｅ）周波数帯域を通じて第１バックホールリンクを介して前記第２ＲＮと通信させ、
前記第１ＲＮと前記第２ＲＮとの間の第２バックホールリンクを通じたダウンリンク割り当てをスケジューリングするクロスキャリアスケジューリング情報を含む中継物理ダウンリンク制御チャネル（Ｒ−ＰＤＣＣＨ）メッセージを前記第１ＲＮに送信させ、
第１送信時間インターバル（ＴＴＩ）の間に第１Ｒ−ＰＤＣＣＨメッセージを前記第２ＲＮに送信させ、
前記第１ＴＴＩの後の第２ＴＴＩの間に第２Ｒ−ＰＤＣＣＨメッセージを前記第１ＲＮに送信させる回路を含み、
前記第１Ｒ−ＰＤＣＣＨメッセージは、前記第２ＴＴＩの間の前記第２バックホールリンクを通じた前記第２ＲＮから前記第１ＲＮへのデータパケットのアップリンク送信をスケジューリングし、
前記第２Ｒ−ＰＤＣＣＨメッセージは、前記第１ＲＮでの前記第２ＲＮからの前記データパケットのダウンリンク受信をスケジューリングする、
装置。
【請求項２１】
前記ｅＮＢに、前記ＰＣｅｌｌのドナーｅＮＢ（ＤｅＮＢ）として動作させる、請求項１６〜２０のうちのいずれか１項に記載の装置。
【請求項２２】
セルラトランシーバと、ｍｍＷａｖｅトランシーバとを備える、請求項１６〜２１のうちのいずれか１項に記載の装置。
【請求項２３】
少なくとも１つのコンピュータプロセッサによって実行されたときに、前記少なくとも１つのコンピュータプロセッサが１または複数の動作をエボルブドノードＢ（ｅＮＢ）において実行することを可能にするコンピュータプログラムであって、前記１または複数の動作は、
プライマリセル（ＰＣｅｌｌ）のセルラ周波数帯域を通じて第１中継ノード（ＲＮ）および第２ＲＮと通信することと、
ミリ波（ｍｍＷａｖｅ）周波数帯域を通じてバックホールリンクを介して前記第２ＲＮと通信することと、
前記第１ＲＮを前記第２ＲＮへハンドオーバするハンドオーバ要求を前記第２ＲＮに送信することと、
前記第２ＲＮにアタッチするアタッチ要求を前記第１ＲＮに送信することと、
前記第１ＲＮへ中継されるべきデータパケットを前記バックホールリンクを介して前記第２ＲＮに送信することと
を含む、コンピュータプログラム。
【請求項２４】
前記ハンドオーバ要求および前記アタッチ要求は無線リソース制御（ＲＲＣ）メッセージを含む、請求項２３に記載のコンピュータプログラム。
【請求項２５】
少なくとも１つのコンピュータプロセッサによって実行されたときに、前記少なくとも１つのコンピュータプロセッサが１または複数の動作をエボルブドノードＢ（ｅＮＢ）において実行することを可能にするコンピュータプログラムであって、前記１または複数の動作は、
プライマリセル（ＰＣｅｌｌ）のセルラ周波数帯域を通じて第１中継ノード（ＲＮ）および第２ＲＮと通信することと、
ミリ波（ｍｍＷａｖｅ）周波数帯域を通じて第１バックホールリンクを介して前記第２ＲＮと通信することと、
前記第１ＲＮと前記第２ＲＮとの間の第２バックホールリンクを通じたダウンリンク割り当てをスケジューリングするクロスキャリアスケジューリング情報を含む中継物理ダウンリンク制御チャネル（Ｒ−ＰＤＣＣＨ）メッセージを前記第１ＲＮに送信することと、
第１送信時間インターバル（ＴＴＩ）の間に第１Ｒ−ＰＤＣＣＨメッセージを前記第２ＲＮに送信することと、
前記第１ＴＴＩの後の第２ＴＴＩの間に第２Ｒ−ＰＤＣＣＨメッセージを前記第１ＲＮに送信することと、
を含み、
前記第１Ｒ−ＰＤＣＣＨメッセージは、前記第２ＴＴＩの間の前記第２バックホールリンクを通じた前記第２ＲＮから前記第１ＲＮへのデータパケットのアップリンク送信をスケジューリングし、
前記第２Ｒ−ＰＤＣＣＨメッセージは、前記第１ＲＮでの前記第２ＲＮからの前記データパケットのダウンリンク受信をスケジューリングする、
コンピュータプログラム。
【請求項２６】
少なくとも１つのコンピュータプロセッサによって実行されたときに、前記少なくとも１つのコンピュータプロセッサが１または複数の動作をエボルブドノードＢ（ｅＮＢ）において実行することを可能にするコンピュータプログラムであって、前記１または複数の動作は、
プライマリセル（ＰＣｅｌｌ）のセルラ周波数帯域を通じて第１中継ノード（ＲＮ）および第２ＲＮと通信することと、
ミリ波（ｍｍＷａｖｅ）周波数帯域を通じてバックホールリンクを介して前記第２ＲＮと通信することと、
前記ｅＮＢと前記第１ＲＮとの間で複数のプライマリ中継物理ダウンリンク制御チャネル（Ｒ−ＰＤＣＣＨ）メッセージを通信するプライマリＲ−ＰＤＣＣＨセット、および、前記第２ＲＮと前記第１ＲＮとの間で複数のセカンダリＲ−ＰＤＣＣＨメッセージを通信するセカンダリＲ−ＰＤＣＣＨセットを設定することと、
前記プライマリＲ−ＰＤＣＣＨセットおよび前記セカンダリＲ−ＰＤＣＣＨセットの設定情報を含むメッセージを前記第１ＲＮに送信することと
を含む、コンピュータプログラム。
【請求項２７】
前記１または複数の動作は前記ｅＮＢを前記ＰＣｅｌｌのドナーｅＮＢ（ＤｅＮＢ）として動作させることを含む、請求項２３〜２６のうちのいずれか１項に記載のコンピュータプログラム。
【請求項２８】
請求項２３〜２７うちのいずれか１項に記載のコンピュータプログラムを格納するコンピュータ可読記録媒体。
【発明の詳細な説明】
【技術分野】
【０００１】
［相互参照］
本出願は、「マルチホップ中継バックホーリングのためのミリ波キャリアアグリゲーション（Ｍｉｌｌｉｍｅｔｅｒ  Ｗａｖｅ  Ｃａｒｒｉｅｒ  Ａｇｇｒｅｇａｔｉｏｎ  ｆｏｒ  Ｍｕｌｔｉ−Ｈｏｐ  Ｒｅｌａｙ  Ｂａｃｋｈａｕｌｉｎｇ）」と題されて２０１４年９月１５日に出願された米国特許仮出願第６２／０５０，５７８号の利益およびこの仮出願からの優先権を主張し、その開示内容全体が参照により本明細書に組み込まれる。
【０００２】
本明細書に記載されている幾つかの実施態様は、一般的にミリ波キャリアアグリゲーションを用いる中継バックホーリングに関する。
【背景技術】
【０００３】
或るシステムは、中継アーキテクチャ、例えば、先行技術文献１；および／または先行技術文献２などの、ロングタームエボリューション（ＬＴＥ：Ｌｏｎｇ  Ｔｅｒｍ  Ｅｖｏｌｕｔｉｏｎ）仕様書に記載されている中継アーキテクチャ、を実装することができる。
【０００４】
この中継アーキテクチャは、例えば、カバレージ拡張、能力改善、および／または負荷平衡を提供するために、設定され得る。
【０００５】
この中継アーキテクチャは中継ノード（ＲＮ：Ｒｅｌａｙ  Ｎｏｄｅ）を実装することができ、これは、ユーザ機器（ＵＥ：Ｕｓｅｒ  Ｅｑｕｉｐｍｅｎｔ）の視点からは「標準的」エボルブドノードＢ（ｅＮＢ：Ｅｖｏｌｖｅｄ  Ｎｏｄｅ  Ｂ）としてサービスすることができる。
【０００６】
アクセスリンクとバックホールリンクとが時間領域での分離を用いて同じ無線リソースを共有し得るインバンドＲＮ使用の場合は、幾つかのシナリオにおいては、例えば、それが無線リソースを効率的に利用するとともに既存のＬＴＥ  ＵＥおよびｅＮＢプロシージャと後方互換性であるために、優先的な展開オプションであると見なされ得る。しかし、このアーキテクチャは、増大するトラフィック需要をサポートできないかもしれない限られたバックホーリング能力を提供する可能性がある。
【発明の概要】
【課題を解決するための手段】
【０００７】
例えば、アクセスリンクにおける増大するユーザデータレート需要をサポートするために、中継ノードのために改善したバックホーリング能力をサポートすることができるであろう中継アーキテクチャおよび方法に対する需要がある。
【０００８】
図解を簡潔にかつ明瞭にするために、図に示されている要素は必ずしも一定の縮尺で示されてはいない。例えば、一部の要素の寸法は、提示を明瞭にするために他の要素に比べて誇張されることがある。さらに、一致するかまたは類似する要素を示すために図において参照数字が繰り返されることがある。図は以下に列挙される。
【図面の簡単な説明】
【０００９】
【図１】幾つかの例示的実施態様による、システムの略ブロック図である。
【００１０】
【図２】幾つかの例示的実施態様による、クロスキャリアスケジューリングスキームの略図である。
【００１１】
【図３】幾つかの例示的実施態様による、ノードの要素の略図である。
【００１２】
【図４】幾つかの例示的実施態様による、スケジューリングスキームの略図である。
【００１３】
【図５】幾つかの例示的実施態様による、図４のスケジューリングスキームに従うノード間の通信の略図である。
【００１４】
【図６】幾つかの例示的実施態様による、スケジューリングスキームの略図である。
【００１５】
【図７】幾つかの例示的実施態様による、図６のスケジューリングスキームに従うノード間の通信の略図である。
【００１６】
【図８】幾つかの例示的実施態様による、スケジューリングスキームの略図である。
【００１７】
【図９】幾つかの例示的実施態様による、図８のスケジューリングスキームに従うノード間の通信の略図である。
【００１８】
【図１０】幾つかの例示的実施態様による、中継バックホーリングの方法の略フローチャート図である。
【００１９】
【図１１】幾つかの例示的実施態様による、製品の略図である。
【発明を実施するための形態】
【００２０】
以下の詳細な記載において、幾つかの実施態様の完全な理解を提供するために多数の特定の細部が明らかにされる。しかし、幾つかの実施態様は、これらの特定の細部が無くても実施され得るということが当業者に理解されるであろう。他の場合には、論議を分かりにくくしないように、よく知られている方法、手順、コンポーネント、ユニットおよび／または回路は詳しく記載されていない。
【００２１】
例えば「処理する」、「計算する」、「算出する」、「判定する」、「確定する」、「分析する」、「チェックする」などの用語を利用する本明細書での論議は、コンピュータのレジスタおよび／またはメモリの中で物理的（例えば、電子的）量として表されるデータを、演算および／またはプロセスを実行する命令を記憶することのできるコンピュータのレジスタおよび／またはメモリまたは他の情報記憶媒体の中で同様に物理的量として表される他のデータに処理しおよび／または変換するコンピュータ、コンピューティングプラットフォーム、コンピューティングシステム、または他の電子計算デバイスの１つまたは複数の演算および／または１つまたは複数のプロセスを指すことができる。
【００２２】
本明細書で使用される「複数」という用語（「ｐｌｕｒａｌｉｔｙ」および「ａ  ｐｌｕｒａｌｉｔｙ」）は、例えば、「多数の」または「２つ以上」を含む。例えば、「複数のアイテム」は２つ以上のアイテムを含む。
【００２３】
「１つの実施態様」、「実施態様」、「例示的実施態様」、「種々の実施態様」などへの言及は、そのように記載された１つまたは複数の実施態様が特定の特徴、構造、または特性を含み得ることを示すけれども、必ずしも全ての実施態様がその特定の特徴、構造、または特性を含むとは限らない。さらに、「１つの実施態様では」という句を繰り返し使用しても、必ずしも同じ実施態様を指すとは限らないが、そうであってもよい。
【００２４】
本明細書では、別様に明示されていない限り、ありふれた対象物を記載するための、順序を示す形容詞「第１」、「第２」、「第３」などの使用は、類似する対象物の異なるインスタンスについて言及していることを単に示すのであって、そのように記載された対象物が時間的に、空間的に、順位付けにおいて、あるいは他の仕方で、所与の順序になっていなければならないということを示唆するべく意図されているのではない。
【００２５】
幾つかの実施態様は、例えば、ユーザ機器（ＵＥ：Ｕｓｅｒ  Ｅｑｕｉｐｍｅｎｔ）、モバイルデバイス（ＭＤ：Ｍｏｂｉｌｅ  Ｄｅｖｉｃｅ）、無線局（ＳＴＡ：ｗｉｒｅｌｅｓｓ  ｓｔａｔｉｏｎ）、パーソナルコンピュータ（ＰＣ：Ｐｅｒｓｏｎａｌ  Ｃｏｍｐｕｔｅｒ）、デスクトップコンピュータ、モバイルコンピュータ、ラップトップコンピュータ、ノートブックコンピュータ、タブレットコンピュータ、スマートフォンデバイス、サーバコンピュータ、ハンドヘルドコンピュータ、ハンドヘルドデバイス、パーソナルデジタルアシスタント（ＰＤＡ：Ｐｅｒｓｏｎａｌ  Ｄｉｇｉｔａｌ  Ａｓｓｉｓｔａｎｔ）デバイス、ハンドヘルドＰＤＡデバイス、オンボードデバイス、オフボードデバイス、ハイブリッドデバイス、車両デバイス、非車両デバイス、モバイルもしくはポータブルデバイス、消費者デバイス、非モバイルもしくは非ポータブルデバイス、無線通信局、無線通信デバイス、無線アクセスポイント（ＡＰ：Ａｃｃｅｓｓ  Ｐｏｉｎｔ）、無線ノード、セルラノード、中継ノード、基地局（ＢＳ：ｂａｓｅ  ｓｔａｔｉｏｎ）、有線もしくは無線ルータ、有線もしくは無線モデム、ビデオデバイス、オーディオデバイス、オーディオビデオ（Ａ／Ｖ：ａｕｄｉｏ−ｖｉｄｅｏ）デバイス、有線もしくは無線ネットワーク、無線エリアネットワーク、セルラネットワーク、セルラノード、セルラデバイス、無線ローカルエリアネットワーク（ＷＬＡＮ：Ｗｉｒｅｌｅｓｓ  Ｌｏｃａｌ  Ａｒｅａ  Ｎｅｔｗｏｒｋ）、多入力多出力（ＭＩＭＯ：Ｍｕｌｔｉｐｌｅ  Ｉｎｐｕｔ  Ｍｕｌｔｉｐｌｅ  Ｏｕｔｐｕｔ）トランシーバもしくはデバイス、単入力多出力（ＳＩＭＯ：Ｓｉｎｇｌｅ  Ｉｎｐｕｔ  Ｍｕｌｔｉｐｌｅ  Ｏｕｔｐｕｔ）トランシーバもしくはデバイス、多入力単出力（ＭＩＳＯ：Ｍｕｌｔｉｐｌｅ  Ｉｎｐｕｔ  Ｓｉｎｇｌｅ  Ｏｕｔｐｕｔ）トランシーバもしくはデバイス、１または複数の内部アンテナおよび／もしくは外部アンテナを有するデバイス、デジタルビデオブロードキャスト（ＤＶＢ：Ｄｉｇｉｔａｌ  Ｖｉｄｅｏ  Ｂｒｏａｄｃａｓｔ）デバイスもしくはシステム、マルチスタンダード無線デバイスもしくはシステム、有線もしくは無線ハンドヘルドデバイス、例えばスマートフォン、無線アプリケーションプロトコル（ＷＡＰ：Ｗｉｒｅｌｅｓｓ  Ａｐｐｌｉｃａｔｉｏｎ  Ｐｒｏｔｏｃｏｌ）デバイス、ベンディングマシン、販売端末などの種々のデバイスおよびシステムと関連して使用され得る。
【００２６】
幾つかの実施態様は、現存するロングタームエボリューション（ＬＴＥ：Ｌｏｎｇ  Ｔｅｒｍ  Ｅｖｏｌｕｔｉｏｎ）仕様（３ＧＰＰ  ＴＳ  ３６．３００（３ＧＰＰ  ＴＳ  ３６．３００  Ｖ１１．７．０（２０１３−０９）；技術仕様（Ｔｅｃｈｎｉｃａｌ  Ｓｐｅｃｉｆｉｃａｔｉｏｎ）；第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ）；技術仕様グループ無線アクセスネットワーク（Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ）；エボルブド・ユニバーサル・テレストリアル・無線・アクセス（Ｅ−ＵＴＲＡ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）およびエボルブド・ユニバーサル・テレストリアル・無線・アクセス・ネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）；総合記述（Ｏｖｅｒａｌｌ  ｄｅｓｃｒｉｐｔｉｏｎ）；ステージ２（リリース１１）；
３ＧＰＰ  ＴＳ  ３６．２１６、（３ＧＰＰ  ＴＳ  ２６．２１６  Ｖ１１．０．０（２０１２−０９）；中継動作のための物理レイヤ（Ｐｈｙｓｉｃａｌ  ｌａｙｅｒ  ｆｏｒ  ｒｅｌａｙｉｎｇ  ｏｐｅｒａｔｉｏｎ（リリース１１））；および／または３ＧＰＰ  ＴＲ  ３６．８０６（３ＧＰＰ  ＴＲ  ３６．８０６  Ｖ９．０．０、（２０１０−０３）；Ｅ−ＵＴＲＡのための中継アーキテクチャ（Ｒｅｌａｙ  ａｒｃｈｉｔｅｃｔｕｒｅｓ  ｆｏｒ  Ｅ−ＵＴＲＡ）（ＬＴＥアドバンスト（ＬＴＥ−Ａｄｖａｎｃｅｄ））（リリース９）を含む）、および／またはそれらの将来型バージョンおよび／またはそれらの派生物に従って動作するデバイスおよび／またはネットワーク、現存するＩＥＥＥ８０２．１６標準規格（ＩＥＥＥ−Ｓｔｄ  ８０２．１６、２００９年版、固定ブロードバンド無線アクセスシステムのためのエアーインターフェース（Ａｉｒ  Ｉｎｔｅｒｆａｃｅ  ｆｏｒ  Ｆｉｘｅｄ  Ｂｒｏａｄｂａｎｄ  Ｗｉｒｅｌｅｓｓ  Ａｃｃｅｓｓ  Ｓｙｓｔｅｍｓ）；
ＩＥＥＥ−Ｓｔｄ８０２．１６ｅ、２００５年版、ライセンスされた帯域における固定およびモバイルの複合動作のための物理および媒体アクセス制御レイヤ（Ｐｈｙｓｉｃａｌ  ａｎｄ  Ｍｅｄｉｕｍ  Ａｃｃｅｓｓ  Ｃｏｎｔｒｏｌ  Ｌａｙｅｒｓ  ｆｏｒ  Ｃｏｍｂｉｎｅｄ  Ｆｉｘｅｄ  ａｎｄ  Ｍｏｂｉｌｅ  Ｏｐｅｒａｔｉｏｎ  ｉｎ  Ｌｉｃｅｎｓｅｄ  Ｂａｎｄｓ）；タスクグループｍにより展開されたＩＥＥＥ  Ｓｔｄ  ８０２．１６−２００９の修正および／またはそれらの将来型バージョンおよび／または派生物に従って動作するデバイスおよび／またはネットワーク、現存するＩＥＥＥ  ８０２．１１標準規格（ＩＥＥＥ  ８０２．１１−２０１２、情報技術のためのＩＥＥＥ標準規格−−システム間の電気通信および情報交換地方および大都市地域ネットワーク−−具体的な要求条件パート１１：無線ＬＡＮ媒体アクセス制御（ＭＡＣ）および物理レイヤ（ＰＨＹ）仕様（ＩＥＥＥ  Ｓｔａｎｄａｒｄ  ｆｏｒ  Ｉｎｆｏｒｍａｔｉｏｎ  ｔｅｃｈｎｏｌｏｇｙ−−Ｔｅｌｅｃｏｍｍｕｎｉｃａｔｉｏｎｓ  ａｎｄ  ｉｎｆｏｒｍａｔｉｏｎ  ｅｘｃｈａｎｇｅ  ｂｅｔｗｅｅｎ  ｓｙｓｔｅｍｓ  Ｌｏｃａｌ  ａｎｄ  ｍｅｔｒｏｐｏｌｉｔａｎ  ａｒｅａ  ｎｅｔｗｏｒｋｓ−−Ｓｐｅｃｉｆｉｃ  ｒｅｑｕｉｒｅｍｅｎｔｓ  Ｐａｒｔ  １１：
Ｗｉｒｅｌｅｓｓ  ＬＡＮ  Ｍｅｄｉｕｍ  Ａｃｃｅｓｓ  Ｃｏｎｔｒｏｌ  （ＭＡＣ）  ａｎｄ  Ｐｈｙｓｉｃａｌ  Ｌａｙｅｒ  （ＰＨＹ）  Ｓｐｅｃｉｆｉｃａｔｉｏｎｓ）、２０１２年３月２９日；ＩＥＥＥ  ８０２．１１ａｄ（ＩＥＥＥ  Ｐ８０２．１１ａｄ−２０１２、情報技術のためのＩＥＥＥ標準規格−システム間の電気通信および情報交換−地方および大都市地域ネットワーク−具体的な要求条件−パート１１：無線ＬＡＮ媒体アクセス制御（ＭＡＣ）および物理レイヤ（ＰＨＹ）仕様−修正３：６０ＧＨｚ帯域におけるベリーハイスループットのための改善"（ＩＥＥＥ  Ｓｔａｎｄａｒｄ  ｆｏｒ  Ｉｎｆｏｒｍａｔｉｏｎ  Ｔｅｃｈｎｏｌｏｇｙ  −  Ｔｅｌｅｃｏｍｍｕｎｉｃａｔｉｏｎｓ  ａｎｄ  Ｉｎｆｏｒｍａｔｉｏｎ  Ｅｘｃｈａｎｇｅ  Ｂｅｔｗｅｅｎ  Ｓｙｓｔｅｍｓ  −  Ｌｏｃａｌ  ａｎｄ  Ｍｅｔｒｏｐｏｌｉｔａｎ  Ａｒｅａ  Ｎｅｔｗｏｒｋｓ  −  Ｓｐｅｃｉｆｉｃ  Ｒｅｑｕｉｒｅｍｅｎｔｓ  −  Ｐａｒｔ  １１：
Ｗｉｒｅｌｅｓｓ  ＬＡＮ  Ｍｅｄｉｕｍ  Ａｃｃｅｓｓ  Ｃｏｎｔｒｏｌ  （ＭＡＣ）  ａｎｄ  Ｐｈｙｓｉｃａｌ  Ｌａｙｅｒ  （ＰＨＹ）  Ｓｐｅｃｉｆｉｃａｔｉｏｎｓ  −  Ａｍｅｎｄｍｅｎｔ  ３：
Ｅｎｈａｎｃｅｍｅｎｔｓ  ｆｏｒ  Ｖｅｒｙ  Ｈｉｇｈ  Ｔｈｒｏｕｇｈｐｕｔ  ｉｎ  ｔｈｅ  ６０ＧＨｚ  Ｂａｎｄ"）、２０１２年１２月２８日）；ＩＥＥＥ８０２．１１−ａｙ（情報技術のためのＰ８０２．１１ａｙ標準規格−−システム間の電気通信および情報交換地方および大都市地域ネットワーク−−具体的な要求条件パート１１：無線ＬＡＮ媒体アクセス制御（ＭＡＣ）および物理レイヤ（ＰＨＹ）仕様−−修正：４５ＧＨｚより上のライセンス免除帯域における動作のための改善されたスループット（Ｐ８０２．１１ａｙ  Ｓｔａｎｄａｒｄ  ｆｏｒ  Ｉｎｆｏｒｍａｔｉｏｎ  Ｔｅｃｈｎｏｌｏｇｙ−−Ｔｅｌｅｃｏｍｍｕｎｉｃａｔｉｏｎｓ  ａｎｄ  Ｉｎｆｏｒｍａｔｉｏｎ  Ｅｘｃｈａｎｇｅ  Ｂｅｔｗｅｅｎ  Ｓｙｓｔｅｍｓ  Ｌｏｃａｌ  ａｎｄ  Ｍｅｔｒｏｐｏｌｉｔａｎ  Ａｒｅａ  Ｎｅｔｗｏｒｋｓ−−Ｓｐｅｃｉｆｉｃ  Ｒｅｑｕｉｒｅｍｅｎｔｓ  Ｐａｒｔ  １１：
Ｗｉｒｅｌｅｓｓ  ＬＡＮ  Ｍｅｄｉｕｍ  Ａｃｃｅｓｓ  Ｃｏｎｔｒｏｌ  （ＭＡＣ）  ａｎｄ  Ｐｈｙｓｉｃａｌ  Ｌａｙｅｒ  （ＰＨＹ）  Ｓｐｅｃｉｆｉｃａｔｉｏｎｓ−−Ａｍｅｎｄｍｅｎｔ：
Ｅｎｈａｎｃｅｄ  Ｔｈｒｏｕｇｈｐｕｔ  ｆｏｒ  Ｏｐｅｒａｔｉｏｎ  ｉｎ  Ｌｉｃｅｎｓｅ−Ｅｘｅｍｐｔ  Ｂａｎｄｓ  Ａｂｏｖｅ  ４５  ＧＨｚ））および／またはそれらの将来型バージョンおよび／または派生物に従って動作するデバイスおよび／またはネットワーク、上記ネットワークの一部であるユニットおよび／またはデバイス、などと関連して使用され得る。
【００２７】
幾つかの実施形態は、１または複数のタイプの無線通信信号および／またはシステム、例えば、無線周波数（ＲＦ：Ｒａｄｉｏ  Ｆｒｅｑｕｅｎｃｙ）、周波数分割多重化（ＦＤＭ：Ｆｒｅｑｕｅｎｃｙ−Ｄｉｖｉｓｉｏｎ  Ｍｕｌｔｉｐｌｅｘｉｎｇ）、直交ＦＤＭ（ＯＦＤＭ：Ｏｒｔｈｏｇｏｎａｌ  ＦＤＭ）、単一搬送波周波数分割多重アクセス（ＳＣ−ＦＤＭＡ：Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）、時分割多重化（ＴＤＭ：Ｔｉｍｅ−Ｄｉｖｉｓｉｏｎ  Ｍｕｌｔｉｐｌｅｘｉｎｇ）、時分割多重アクセス（ＴＤＭＡ：Ｔｉｍｅ−Ｄｉｖｉｓｉｏｎ  Ｍｕｌｔｉｐｌｅ  Ａｃｃｅｓｓ）、拡張ＴＤＭＡ（Ｅ−ＴＤＭＡ：Ｅｘｔｅｎｄｅｄ  ＴＤＭＡ）、汎用パケット無線サービス（ＧＰＲＳ：Ｇｅｎｅｒａｌ  Ｐａｃｋｅｔ  Ｒａｄｉｏ  Ｓｅｒｖｉｃｅ）、拡張ＧＰＲＳ、符号分割多重アクセス（ＣＤＭＡ：Ｃｏｄｅ−Ｄｉｖｉｓｉｏｎ  Ｍｕｌｔｉｐｌｅ  Ａｃｃｅｓｓ）、ワイドバンドＣＤＭＡ（ＷＣＤＭＡ（登録商標）：Ｗｉｄｅｂａｎｄ  ＣＤＭＡ）、ＣＤＭＡ  ２０００、単一搬送波ＣＤＭＡ、多搬送波ＣＤＭＡ、多搬送波変調（ＭＤＭ：Ｍｕｌｔｉ−Ｃａｒｒｉｅｒ  Ｍｏｄｕｌａｔｉｏｎ）、離散マルチトーン（ＤＭＴ：Ｄｉｓｃｒｅｔｅ  Ｍｕｌｔｉ−Ｔｏｎｅ）、Ｂｌｕｅｔｏｏｔｈ（登録商標）、全地球測位システム（ＧＰＳ：Ｇｌｏｂａｌ  Ｐｏｓｉｔｉｏｎｉｎｇ  Ｓｙｓｔｅｍ）、ワイヤレスフィデリティ（Ｗｉ−Ｆｉ：Ｗｉｒｅｌｅｓｓ  Ｆｉｄｅｌｉｔｙ）、Ｗｉ−Ｍａｘ、ＺｉｇＢｅｅ（登録商標）、ウルトラワイドバンド（ＵＷＢ：Ｕｌｔｒａ−Ｗｉｄｅｂａｎｄ）、グローバルシステムフォーモバイルコミュニケーション（ＧＳＭ（登録商標）：Ｇｌｏｂａｌ  Ｓｙｓｔｅｍ  ｆｏｒ  Ｍｏｂｉｌｅ  ｃｏｍｍｕｎｉｃａｔｉｏｎ）、第２世代（２Ｇ：ｓｅｃｏｎｄ  ｇｅｎｅｒａｔｉｏｎ）、２．５Ｇ、３Ｇ、３．５Ｇ、４Ｇ、４．５Ｇ、第５世代（５Ｇ：Ｆｉｆｔｈ  Ｇｅｎｅｒａｔｉｏｎ）モバイルネットワーク、３ＧＰＰ、ロングタームエボリューション（ＬＴＥ：Ｌｏｎｇ  Ｔｅｒｍ  Ｅｖｏｌｕｔｉｏｎ）セルラシステム、ＬＴＥアドバンスセルラシステム、ＬＴＥアンライセンスシステム、高速ダウンリンクパケットアクセス（ＨＳＤＰＡ：Ｈｉｇｈ−Ｓｐｅｅｄ  Ｄｏｗｎｌｉｎｋ  Ｐａｃｋｅｔ  Ａｃｃｅｓｓ）、高速アップリンクパケットアクセス（ＨＳＵＰＡ：Ｈｉｇｈ−Ｓｐｅｅｄ  Ｕｐｌｉｎｋ  Ｐａｃｋｅｔ  Ａｃｃｅｓｓ）、高速パケットアクセス（ＨＳＰＡ：Ｈｉｇｈ−Ｓｐｅｅｄ  Ｐａｃｋｅｔ  Ａｃｃｅｓｓ）、ＨＳＰＡ＋、単一搬送波無線伝送技術（１ＸＲＴＴ：Ｓｉｎｇｌｅ  Ｃａｒｒｉｅｒ  Ｒａｄｉｏ  Ｔｒａｓｍｉｓｓｉｏｎ  Ｔｅｃｈｎｏｌｏｇｙ）、エボリューション−データ最適化（ＥＶ−ＤＯ：Ｅｖｏｌｕｔｉｏｎ−Ｄａｔａ  Ｏｐｔｉｍｉｚｅｄ）、ＧＳＭ（登録商標）エボリューションのための改善データレート（ＥＤＧＥ：Ｅｎｈａｎｃｅｄ  Ｄａｔａ  ｒａｔｅｓ  ｆｏｒ  ＧＳＭ（登録商標）  Ｅｖｏｌｕｔｉｏｎ）、などと関連して使用され得る。他の種々のデバイス、システムおよび／またはネットワークにおいて他の実施態様が使用され得る。
【００２８】
本明細書で使用される用語「無線デバイス」は、例えば、無線通信し得るデバイス、無線通信し得る通信デバイス、無線通信し得る通信局、無線通信し得る携帯可能なまたは携帯不可能なデバイスなどを含む。幾つかの例示的実施態様では、無線デバイスは、コンピュータと統合された周辺装置、またはコンピュータに取り付けられた周辺装置であるかまたはそのような周辺装置を含むことができる。幾つかの例示的実施態様では、用語「無線デバイス」は、任意に、無線サービスを含むことができる。
【００２９】
本明細書で無線通信信号に関して使用される用語「通信する」は、無線通信信号を送信することおよび／または無線通信信号を受信することを含む。例えば、無線通信信号を通信することのできる無線通信ユニットは、無線通信信号を少なくとも１つの他の無線通信ユニットに送信する無線トランスミッタおよび／または無線通信信号を少なくとも１つの他の無線通信ユニットから受信する無線通信レシーバを含むことができる。 「通信する」という動詞は、送信するという動作または受信するという動作を指すために使用され得る。１つの例では、「信号を通信する」という句は、第１デバイスによって信号を送信するという動作を指すことができるが、第２デバイスによって信号を受信するという動作を必ずしも含まないことがある。他の１つの例では、「信号を通信する」という句は、第１デバイスによって信号を受信するという動作を指すことができるが、第２デバイスによって信号を送信するという動作を必ずしも含まないことがある。
【００３０】
本明細書で使用される用語「回路」は、１または複数のソフトウェアまたはファームウェアプログラムを実行する特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、集積回路、電子回路、プロセッサ（共有、専用、またはグループ）、および／またはメモリ（共有、専用、またはグループ）、組み合わせ論理回路、および／または記載される機能性を提供する他の適切なハードウェアコンポーネントを指し、あるいはそれらの一部であり、あるいはそれらを含むことができる。幾つかの実施態様では、回路は１または複数のソフトウェアまたはファームウェアモジュールにおいて実装されることができ、あるいは、回路と関連する機能は１または複数のソフトウェアまたはファームウェアによって実行され得る。幾つかの実施態様では、回路は、少なくとも部分的にハードウェアで動作し得る論理を含むことができる。
【００３１】
本明細書で使用される用語「アンテナ」は、１または複数のアンテナ素子、コンポーネント、ユニット、アセンブリおよび／またはアレイの任意の適切な構成、構造および／または配置を含むことができる。幾つかの実施態様では、アンテナは、別々の送信および受信アンテナ素子を用いて送信および受信機能性を実現することができる。幾つかの実施態様では、アンテナは、共通および／または統合送信／受信素子を用いて送信および受信機能性を実現することができる。アンテナは、例えば、フェイズドアレイアンテナ、単一素子アンテナ、ダイポールアンテナ、切り替えビームアンテナのセット、および／またはこれらに類似するものを含むことができる。
【００３２】
本明細書で使用される用語"セル"は、ネットワークリソースの組み合わせ、例えば、ダウンリンクリソースおよび任意にアップリンクリソース、を含むことができる。これらのリソースは、例えば、ノード（「基地局」とも称される）などによって制御されおよび／または割り当てられることができる。ダウンリンクリソースの搬送波周波数とアップリンクリソースの搬送波周波数との間のリンクは、ダウンリンクリソースで送信されるシステム情報において明示され得る。
【００３３】
幾つかの例示的実施態様がＬＴＥネットワークと関連して本明細書で記載される。しかし、他の任意の適切なセルラネットワークまたはシステム、例えば、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）セルラシステム、ＧＳＭ（登録商標）ネットワーク、３Ｇセルラネットワーク、４Ｇセルラネットワーク、４．５Ｇネットワーク、５Ｇセルラネットワーク、ＷｉＭＡＸセルラネットワーク、など、において他の実施態様も実現され得る。
【００３４】
幾つかの例示的実施態様は、例えばセルラ、ミリ波（「ｍｍＷａｖｅ」または「ｍｍＷ」）および／またはこれらに類似するものを含む、技術、周波数、セルサイズおよび／またはネットワークアーキテクチャの混合物の展開を利用することのある異機種ネットワーク（ＨｅｔＮｅｔ：Ｈｅｔｅｒｏｇｅｎｅｏｕｓ  Ｎｅｔｗｏｒｋ）と関連して使用され得る。一例では、ＨｅｔＮｅｔは、大きなマクロセルから例えばピコセルおよびフェムトセルなどの小さなセルに及ぶいろいろなサイズのセルのレイヤを有する無線アクセスネットワークを含むことができる。他の任意の適切な無線通信ネットワークと関連して使用され得る実施態様もあり得る。
【００３５】
幾つかの例示的実施態様では、バックホール通信のためにｍｍＷａｖｅ周波数帯域を用いる中継アーキテクチャは、例えば、バックホールリンクが例えばセルラ無線リソースなどの同じ無線リソースをアクセスリンクとして共有する中継アーキテクチャと比べて有利であり得る。例えば、バックホールリンクのためにｍｍＷａｖｅ周波数帯域を用いれば、アクセスリンクにおいて増大するユーザデータレート需要の結果であり得るトラフィック需要の増大をサポートすることが可能となり得る。
【００３６】
幾つかの例示的実施態様は、１または複数の中継ノード（ＲＮｓ：Ｒｅｌａｙ  Ｎｏｄｅｓ）からドナーエボルブドノードＢ（ＤｅＮＢ：Ｄｏｎｏｒ  ｅｖｏｌｖｅｄ  Ｎｏｄｅ  Ｂ）ＤｅＮＢへのバックホーリング伝送にｍｍＷａｖｅ周波数帯域を、例えば、ＤｅＮＢとＲＮとの間のリンクに沿う見通し線（ＬＯＳ：ｌｉｎｅ  ｏｆ  ｓｉｇｈｔ）接続を確保するためにＲＮの計画的なおよび／または専用の設置を必要とすることさえ無しに、適用するように構成され得る。
【００３７】
幾つかの例示的実施態様は、ＲＮｓからＤｅＮＢへのバックホーリング伝送にｍｍＷａｖｅ周波数帯域を、例えば、例えば無線ギガバイト（ＷｉＧｉｇ：Ｗｉｒｅｌｅｓｓ−Ｇｉｇａｂｙｔｅ）およびＬＴＥ  ＲＡＴｓを含む二重無線アクセス技術（ＲＡＴ：ｒａｄｉｏ  ａｃｃｅｓｓ  ｔｅｃｈｎｏｌｏｇｙ）をＤｅＮＢおよびＲＮの両方に備えることを必要とせずに、適用するように構成され得る。例えば、２つのＲＡＴｓにおける無線リソースがそれぞれのシステムで独立に採用されるかもしれず、在来のブロードバンド周波数(例えば、６ＧＨｚより低い)およびｍｍＷａｖｅ帯域(例えば、Ｖ−帯域またはＥ−帯域)の両方において無線リソース利用を共に最適化することは不可能かもしれないから、二重ＲＡＴの実装は最適ではないかもしれない。
【００３８】
幾つかの例示的実施態様では、ｍｍＷ帯域をＬＴＥ中継バックホーリングシステムに組み入れるための１つのアプローチは、ｍｍＷ帯域においてスタンドアローン型の新搬送波タイプ（ＮＣＴ：ｎｅｗ  ｃａｒｒｉｅｒ  ｔｙｐｅ）（「ｍｍＷ−ＮＣＴ」とも称される）を設計することを含むことができ、アウトバンドＲＮにおけるバックホールリンクはバックホールトラフィック伝送のためにそのスタンドアローン型ｍｍＷ−ＮＣＴを使用することができる。
【００３９】
幾つかの例示的実施態様では、他の１つのアプローチは、ｍｍＷ−ＮＣＴをセカンダリコンポーネントキャリア（ＳＣＣ：ｓｅｃｏｎｄａｒｙ  ｃｏｍｐｏｎｅｎｔ  ｃａｒｒｉｅｒ）として半静定的に設定してアクティブ化するために、例えばＬＴＥ  Ｒｅｌ−１０で定義されているキャリアアグリゲーション方法、または他の任意のＣＡ方法などのキャリアアグリゲーション（ＣＡ：ｃａｒｒｉｅｒ  ａｇｇｒｅｇａｔｉｏｎ）方法を利用することができる。このアプローチでは、ｍｍＷ−ＮＣＴ  ＳＣＣでのスケジューリングされたデータ伝送は、中継物理ダウンリンク制御チャネル（Ｒ−ＰＤＣＣＨ：Ｒｅｌａｙ  Ｐｈｙｓｉｃａｌ  Ｄｏｗｎｌｉｎｋ  Ｃｏｎｔｒｏｌ  ｃｈａｎｎｅｌ）によりＤｅＮＢからＲＮへ動的にシグナリングされ得る。このアプローチでは、ＲＮは、例えばそのプライマリセル（ＰＣｅｌｌ：ｐｒｉｍａｒｙ  ｃｅｌｌ）として、在来のブロードバンドスペクトラムで動作するＤｅＮＢにキャンプすることができ、バックホールリンクの追加の能力は、例えば、ｍｍＷ−ＮＣＴで動作する１または複数のセカンダリセカンダリセル（ＳＣｅｌｌ：ｓｅｃｏｎｄａｒｙ  ｃｅｌｌ）によって高められることができる。
【００４０】
幾つかの例示的実施態様では、ＣＡはＬＴＥ  ＲＮのために明示的には指定されないかもしれないけれども、ＲＮの「ＵＥ役割」のゆえに、ＲＮバックホーリングのためのＣＡ能力は、例えば、新しいＣＡ能力カテゴリーをＲＮに付け加え、初期アタッチメントプロシージャ中にこの新しいＲＮ  ＣＡ能力情報をネットワークにシグナリングすることによって可能にされ得る。
【００４１】
ここで、幾つかの例示的実施態様によるシステム１００のブロック図を概略的に示す図１を参照する。一例では、セルラシステム１００は、例えばロングタームエボリューション（ＬＴＥ：ｌｏｎｇ  ｔｅｒｍ  ｅｖｏｌｕｔｉｏｎ）もしくはＬＴＥアドバンスセルラシステムなどの第４世代セルラシステム、または５Ｇセルラシステムを含むことができる。他の実施態様では、システム１００は他の任意のセルラシステムを含むことができる。
【００４２】
図１に示されているように、幾つかの例示的実施態様では、システム１００は、例えば以下に記載されるようにコンテンツ、データ、情報および／または信号を通信することのできる、例えばノード１０２、１０４、１０６、および／または１０８を含む、複数のノードを含むことができる。
【００４３】
幾つかの例示的実施態様では、ノード１０２はエボルブドノードＢ（ｅＮＢ：Ｅｖｏｌｖｅｄ  Ｎｏｄｅ  Ｂ）を含むことができる。例えば、１０２は、無線リソース管理（ＲＲＭ：ｒａｄｉｏ  ｒｅｓｏｕｒｃｅ  ｍａｎａｇｅｍｅｎｔ）、無線ベアラ制御、無線アドミッション制御（アクセス制御）、接続モビリティ管理、複数のＵＥとｅＮＢ無線との間のリソーススケジューリング、例えば、アップリンクおよびダウンリンクの両方におけるＵＥへのリソースの動的割り当て、ヘッダ圧縮、ユーザデータストリームのリンク暗号化、宛先、例えば他のｅＮＢもしくはエボルブドパケットコア（ＥＰＣ：Ｅｖｏｌｖｅｄ  Ｐａｃｋｅｔ  Ｃｏｒｅ）、へのユーザデータのパケットルーティング、例えば着呼および／または接続要求などのページングメッセージのスケジューリングおよび／または送信、ブロードキャスト情報調整、測定リポーティング、および／または他の任意の操作を実行するように構成され得る。
【００４４】
他の実施態様では、ノード１０４、１０６、および／または１０８は中継ノード（ＲＮ：Ｒｅｌａｙ  Ｎｏｄｅ）を含むことができ、これは、例えばノード１０２から１または複数のユーザ機器（ＵＥ：Ｕｓｅｒ  Ｅｑｕｉｐｍｅｎｔｓ）に通信を中継するように構成され得る。例えば、ノード１０４はＲＮ−１と表記される第１ＲＮを含むことができ、ノード１０６はＲＮ−２と表記される第２ＲＮを含むことができ、ノード１０８はＲＮ−３と表記される第３ＲＮを含むことができる。
【００４５】
幾つかの例示的実施態様では、ノード１０４、１０６および／または１０８は、ｅＮＢとして動作するように、および／または、例えばノード１０４、１０６および／または１０８に接続され得る１または複数のＵＥにｅＮＢの１または複数の機能性を提供するように、構成され得る。
【００４６】
幾つかの例示的実施態様では、ノード１０４、１０６、および／または１０８は、例えば以下に記載されるように、１または複数のバックホールリンクを介して、ノード１０２とおよび／または１または複数の他のＲＮｓと通信することができる。
【００４７】
幾つかの例示的実施態様では、ノード１０２は、ノード１０４、１０６、および／または１０８を含み得るＰＣｅｌｌ１１０のドナーｅＮＢ（ＤｅＮＢ：Ｄｏｎｏｒ  ｅＮＢ）として動作するように構成され得る。
【００４８】
幾つかの例示的実施態様では、ノード１０２は、ＰＣｅｌｌ１００のセルラ周波数帯域を通じてノード１０４、１０６、および／または１０８と通信することができる。
【００４９】
幾つかの例示的実施態様では、セルラ周波数帯域は、Ｆ１と表記されるマクロスペクトラム周波数の周波数帯域を含むことができる。例えば、セルラ周波数帯域は６ギガヘルツ（ＧＨｚ）より低い周波数帯域を含むことができる。一例では、セルラ周波数帯域は７００メガヘルツ（ＭＨｚ）および２．７ＧＨｚの周波数範囲の中の周波数帯域、または他の任意の周波数帯域を含むことができる。
【００５０】
幾つかの例示的実施態様では、ノード１０４、１０６、および／または１０８は、マクロスペクトラム周波数Ｆ１で同じＤｅＮＢ、例えばノード１０２、にキャンプすることができる。
【００５１】
幾つかの例示的実施態様では、ノード１０２とノード１０４、１０６、および／または１０８との間のバックホール伝送は、Ｆ２と表記されるｍｍＷａｖｅ周波数帯域で行われることができる。
【００５２】
幾つかの例示的実施態様では、ｍｍＷａｖｅ周波数帯域は、無線通信周波数帯域、例えば極めて高い周波数（ＥＨＦ：Ｅｘｔｒｅｍｅｌｙ  Ｈｉｇｈ  Ｆｒｅｑｕｅｎｃｙ）帯域、例えば２０ＧＨｚと３００ＧＨｚとの間の周波数帯域内の周波数帯域、を含むことができる。例えば、ｍｍＷａｖｅ周波数帯域は、６０ＧＨｚの周波数帯域を含むことができる。一例ではｍｍＷａｖｅ周波数帯域は、ディレクショナルマルチギガビット（ＤＭＧ：ｄｉｒｅｃｔｉｏｎａｌ  ｍｕｌｔｉ−ｇｉｇａｂｉｔ）または「ディレクショナルバンド（ｄｉｒｅｃｔｉｏｎａｌ  ｂａｎｄ）」（ＤＢａｎｄ）、例えば、チャネル開始周波数が４５ＧＨｚより高い周波数帯域、を含むことができる。他の実施態様では、ｍｍＷａｖｅ周波数帯域は、他の任意の周波数帯域を含むことができる。
【００５３】
幾つかの例示的実施態様では、ノード１０４はバックホールリンク１１２を介してｍｍＷａｖｅ周波数帯域を通じてノード１０２と通信することができ、ノード１０６はバックホールリンク１１４を介してｍｍＷａｖｅ周波数帯域を通じてノード１０２と通信することができ、および／またはノード１０８はバックホールリンク１１６を介してｍｍＷａｖｅ周波数帯域を通じてノード１０４と通信することができる。
【００５４】
幾つかの例示的実施態様では、システム１００は長距離にわたる１または複数のバックホールリンクのために、例えばＲＮとノード１０２との間で、１または複数のマルチホップ中継を実行することができる。例えば、ｍｍＷａｖｅリンクでの効率的通信は、例えば戸外での非見通し内（ＮＬＯＳ：ｎｏｎ  Ｌｉｎｅ−ｏｆ  Ｓｉｇｈｔ）ｍｍＷａｖｅ通信において、例えば深刻な経路損失および／または顕著な停止率に起因して、割合に短い距離に限定されることがある。
【００５５】
幾つかの例示的実施態様では、例えば、図１に示されているように、ノード１０４および１０６は割合にノード１０２に近いことがあり、従って、ノード１０４はバックホールリンク１１２を介してノード１０２と直接通信することができ、および／またはノード１０６はバックホールリンク１１４を介してノード１０２と直接通信することができる。ノード１０８は、例えばノード１０４を介するノード１０８とノード１０２との間の間接的バックホール通信を可能にするために、例えば、バックホールリンク１１６を介してノード１０４とのバックホール接続を確立することができる。
【００５６】
幾つかの例示的実施態様では、システム１００の要素は、例えば以下に記載されるように、ｍｍＷ−ＮＣＴのＳＣＣでノード１０４からノード１０６に転送されるべきデータパケット伝送に関してノード１０８に知らせるために物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）を提供することを可能にするように構成され得る。
【００５７】
幾つかの例示的実施態様は複数の異なる物理レイヤ制御シグナリング方法および／またはスキームを提供し、それらは、制御情報をＲＮ（「ターゲットＲＮ」とも称される）、例えばノード１０８、に確実に配達することを可能にして、そのターゲットＲＮが、例えば以下で記載されるように、ｍｍＷ−ＮＣＴ上のデータパケットを復調しおよび／または復号することを可能にするように、構成され得る。
【００５８】
幾つかの例示的実施態様では、ノード１０２、１０４、１０６および／または１０８は、ＰＣｅｌｌ１１０のセルラ周波数帯域を通じて制御プレーンデータを通信するように構成され得る。
【００５９】
幾つかの例示的実施態様では、ｍｍＷａｖｅバックホールリンク１１２、１１４および／または１１６は、例えば以下で記述されるように、ユーザプレーンデータをＰＣｅｌｌ１１０の中で複数のｍｍＷ−ＮＣＴベースＳＣｅｌｌｓにおいて通信するように構成され得る。
【００６０】
幾つかの例示的実施態様では、例えば、少なくとも既存のロバスト設計の利点を可能にし、および／または後方互換性を最大にするために、中継物理ダウンリンク制御チャネル（Ｒ−ＰＤＣＣＨ：Ｒｅｌａｙ−Ｐｈｙｓｉｃａｌ−Ｄｏｗｎｌｉｎｋ−Ｃｏｎｔｒｏｌ−Ｃｈａｎｎｅｌ）シグナリングメッセージがＰＣｅｌｌ１１０内で伝送され得る。
【００６１】
幾つかの例示的実施態様では、Ｒ−ＰＤＣＣＨメッセージは、例えば、以下で記述されるように、データパケットのためのダウンリンクデータ割り当ておよび／またはアップリンクスケジューリング要求情報をｍｍＷ−ＮＣＴ  ＳＣｅｌｌで伝えるために、ＰＣｅｌｌ１１０内で伝送され得る。
【００６２】
幾つかの例示的実施態様は、例えば、以下で記述されるように、例えばＤｅＮＢ１０２とノード１０８との間でノード１０４を介してマルチホップ中継バックホールリンクのｍｍＷ−ＮＣＴ  ＳＣＣで伝送されるデータパケットのためのダウンリンク制御情報をシグナリングするように構成されたロバストなＲ−ＰＤＣＣＨシグナリングを可能にするように構成され得る。
【００６３】
幾つかの例示的実施態様は、例えば以下で記載されるように、ｍｍＷ−ＮＣＴ  ＣＡによる中継バックホールリンクの能力改善をサポートするためにＲ−ＰＤＣＣＨベースのクロスキャリアスケジューリングを利用するように構成され得る。
【００６４】
幾つかの例示的実施態様では、例えば以下で記述されるように、ノード１０２、１０４、１０６および／または１０８は、ｍｍＷ−ＮＣＴバックホーリングを使用するＣＡのためのクロスキャリアスケジューリングを採用するように構成され得る。ｍｍＷ−ＮＣＴバックホーリングを使用するＣＡのためのクロスキャリアスケジューリングを採用すれば、例えば、少なくともそのようなアプローチはｍｍＷ−ＮＣＴ  ＣＡ動作のために全く新しいダウンリング制御チャネルを設計しなくてもよく、および／または、ｍｍＷ−ＮＣＴ  ＣＡ通信のためにＲ−ＰＤＣＣＨにより提供される設計利益を利用することを可能にし得るから、有利であり得る。
【００６５】
図２は、幾つかの例示的実施態様による、クロスキャリアスケジューリングスキーム２００の略図である。幾つかの例示的実施態様では、ノード１０２、１０４、１０６、および／または１０８（図１）は、例えば以下で記述されるように、クロスキャリアシグナリングスキーム２００に従ってクロスキャリアシグナリングメッセージを通信するように構成され得る。
【００６６】
幾つかの例示的実施態様では、クロスキャリアスケジューリングスキーム２００は、例えば、以下に記載されるように、例えば中継バックホールリンクのためのｍｍＷ−ＮＣＴ  ＣＡのためにＲ−ＰＤＣＣＨを用いてクロスキャリアスケジューリングを実行するように構成され得る。
【００６７】
幾つかの例示的実施態様では、クロスキャリアスケジューリングスキーム２００に従って、ノード、例えばノード１０２（図１）、は制御プレーンメッセージ、例えばＲ−ＰＤＣＣＨメッセージ２０２、をＲＮ、例えばノード１０８（図１）、にＰＣｅｌｌ２０４の周波数帯域、例えばＰＣｅｌｌ１１０（図１）、を通じて伝送することができる。
【００６８】
幾つかの例示的実施態様では、Ｒ−ＰＤＣＣＨメッセージ２０２は、ユーザプレーンメッセージ、例えばデータパケット２０８、をＲＮに例えば以下で記載されるように通信するために使用されるべきＳＣｅｌｌ２０６のバックホールリンクを通じたダウンリンク割り当てをスケジューリングするためにクロスキャリアスケジューリング情報を含むことができる。
【００６９】
制御およびユーザプレーンがどのように分割され得るかという原理を強調するために、幾つかの例示的実施態様が本明細書において、例えば図２に示されているように単一のＳＣｅｌｌの使用の簡単化された場合に関して記載される。他の実施態様では、例えばｍｍＷ  ＮＣＴの利用可能な帯域幅、および／または帯域幅ニーズに従って数個のＳ−セルを例えば隣接するおよび／または隣接しない帯域幅割り当てと組み合わせることができる。例えばＲ−ＰＤＣＣＨ規定およびＵ−プレーンデータ規定の原理を説明するためにｍｍＷ使用の場合について、単一のＳ−Ｃｅｌｌ  ＮＣＴに関して本明細書において幾つかの実施態様が記載されるが、他の実施態様では、該原理、方法および／またはスキームのうちの１または複数は他の任意の単一のおよび／または複数のＳ−セルに関して実施され得る。
【００７０】
幾つかの例示的実施態様では、Ｒ−ＰＤＣＣＨメッセージ２０２は、マルチホップＲＮバックホールリンク、例えばノード１０２（図１）とノード１０８（図１）との間のマルチホップバックホールリンク、に沿ってのｍｍＷ−ＮＣＴ  ＳＣＣｓでのデータパケット２０８の伝送をスケジューリングするように構成され得る。
【００７１】
幾つかの例示的実施態様では、セルラ周波数帯域で通信されるＲ−ＰＤＣＣＨメッセージ２０２を用いてｍｍＷ−ＮＣＴ  ＳＣＣｓでのデータパケット２０８の伝送をスケジューリングすることは、ＲＮ、例えばノード１０８（図１）、が例えばデータパケットがスケジューリングされないときにそのＲＮのｍｍＷａｖｅレシーバをスイッチオフおよび／またはパワーダウンすること、および／または例えばデータパケット２０８がｍｍＷ  ＳＣｅｌｌでそのＲＮにより受信されるべくスケジューリングされるときに限ってそのＲＮのｍｍＷａｖｅレシーバをスイッチオンおよび／またはパワーオンすることを可能にすることができる。従って、そのＲＮの電力消費量を減らすことができる。
【００７２】
幾つかの例示的実施態様では、Ｒ−ＰＤＣＣＨメッセージ２０２は、例えば以下で図４および／または５を参照して記載されるように、集中ＤｅＮＢ、例えばノード１０２（図１）、により伝送され得る。
【００７３】
幾つかの例示的実施態様では、Ｒ−ＰＤＣＣＨメッセージ２０２はＲＮ（「アップストリームＲＮ」）、例えばノード１０４（図１）、により伝送されることができ、これは、例えば以下で図６および／または７を参照して記載されるように、ｍｍＷａｖｅバックホールリンク、例えばバックホールリンク１１６（図１）、を介してターゲットＲＮ、例えばＲＮ１０８（図１）、に接続される。
【００７４】
幾つかの例示的実施態様では、Ｒ−ＰＤＣＣＨメッセージ２０２はＲＮ（「アップストリームＲＮ」）、例えばノード１０４（図１）、によって伝送されることができ、これは、例えば図８および／または９を参照して以下で記載されるように、ターゲットＲＮ、例えばＲＮ１０８（図１）、に対するＤｅＮＢとしての役割を果たすことができる。
【００７５】
幾つかの例示的実施態様によるノード３００の要素を概略的に示す図３を参照する。
【００７６】
幾つかの例示的実施態様では、ＤｅＮＢとして動作するｅＮＢ、例えばノード１０２（図１）、は例えば以下に記載されるようにノード３００の要素のうちの１または複数を含むことができる。
【００７７】
幾つかの例示的実施態様では、ＲＮ、例えばノード１０４、１０６および／または１０８（図１）、は例えば以下に記載されるようにノード３００の要素のうちの１または複数を含むことができる。
【００７８】
幾つかの例示的実施態様では、ノード３００は、セルラ周波数帯域、例えばＰＣｅｌｌ、例えばＰＣｅｌｌ１１０（図１）、のセルラ周波数帯域、を通じて通信するように構成されたセルラトランシーバ（ＴＲｘ）３０２を含むことができる。例えば、ノード１０２、ノード１０４、ノード１０６、および／またはノード１０８（図１）は、セルラＴＲｘ３０２を含むことができる。
【００７９】
幾つかの例示的実施態様では、セルラＴＲｘ３０２は、無線通信信号、ＲＦ信号、フレーム、ブロック、送信ストリーム、パケット、メッセージ、データアイテム、および／またはデータを送信しおよび／または受信するように構成された回路および／または論理を含む１または複数の無線トランスミッタ、レシーバおよび／またはトランシーバを含むことができる。
【００８０】
幾つかの例示的実施態様では、セルラＴＲｘ３０２は、希望に応じてアンテナビームフォーミング方法を実行するように構成された回路および／または論理を含む、多入出力（ＭＩＭＯ：ｍｕｌｔｉｐｌｅ  ｉｎｐｕｔ  ｍｕｌｔｉｐｌｅ  ｏｕｔｐｕｔ）トランスミッタレシーバシステム（図示されていない）を含むことができる。他の実施態様では、セルラＴＲｘ３０２は、他の任意のトランスミッタおよび／またはレシーバを含むことができる。
【００８１】
幾つかの例示的実施態様では、セルラＴＲｘ３０２は、ノード３００によって送信されるべき信号および／またはノード３００によって受信される信号を変調しおよび／または復調するように構成されたＬＴＥ、ＷＣＤＭＡ（登録商標）および／またはＴＤ−ＳＣＤＭＡモジュレータおよび／またはデモジュレータ回路（図示されていない）を含むことができる。
【００８２】
幾つかの例示的実施態様では、セルラＴＲｘ３０２は、希望に応じてデータビットをデータシンボルに符号化しおよび／または復号するための回路および／または論理を含むターボデコーダおよび／またはターボエンコーダ（図示されていない）を含むことができる。幾つかの例示的実施態様では、セルラＴＲｘ３０２は、ダウンリンク（ＤＬ：ｄｏｗｎｌｉｎｋ）チャネルを通じてＯＦＤＭ信号を、および／またはアップリンク（ＵＬ：ｕｐｌｉｎｋ）チャネルを通じてＳＣ−ＦＤＭＡ信号を通信するように構成されたＯＦＤＭおよび／またはＳＣ−ＦＤＭＡモジュレータおよび／またはデモジュレータ（図示されていない）を含むことができる。
【００８３】
幾つかの例示的実施態様では、セルラＴＲｘは、１または複数のアンテナを含むことができ、または１または複数のアンテナと関連付けられることができる。一例では、セルラＴＲｘは少なくとも２つのアンテナ、例えばアンテナ３０８および３１０、と関連付けられることができる。他の１つの例では、セルラＴＲｘは１つのアンテナまたは３つ以上のアンテナと関連付けられることができる。
【００８４】
幾つかの例示的実施態様では、アンテナ３０８および／または３１０は、無線通信信号、ブロック、フレーム、送信ストリーム、パケット、メッセージおよび／またはデータを送信しおよび／または受信するのに適する任意のタイプのアンテナを含むことができる。例えば、アンテナ３０８および／または３１０は、１または複数のアンテナ素子、コンポーネント、ユニット、アセンブリおよび／またはアレイの任意の適切な構成、構造および／または配置を含むことができる。例えば、アンテナ３０８および／または３１０は、フェイズドアレイアンテナ、ダイポールアンテナ、シングルエレメントアンテナ、切り替えビームアンテナのセット、および／または類似物を含むことができる。
【００８５】
幾つかの実施態様では、アンテナ３０８および／または３１０は、別々の送信および受信アンテナ素子を用いて送信および受信機能を実施することができる。幾つかの実施態様では、アンテナ３０８および／または３１０は、共通および／または統合送信／受信素子を用いて送信および受信機能を実施することができる。
【００８６】
幾つかの例示的実施態様では、ノード３００は、ｍｍＷａｖｅ周波数帯域を通じて１または複数のバックホールリンクを介してノード３００と１または複数の他のノードとの間で通信を行うように構成されたｍｍＷａｖｅトランシーバ（ＴＲｘ）３３０を含むことができる。例えば、ノード１０２、ノード１０４、ノード１０６、および／またはノード１０８（図１）はｍｍＷａｖｅ  ＴＲｘ３３０を含むことができる。
【００８７】
幾つかの例示的実施態様では、ｍｍＷａｖｅトランシーバ３３０は、無線通信信号、ＲＦ信号、フレーム、ブロック、送信ストリーム、パケット、メッセージ、データアイテム、および／またはデータを受信する回路および／または論理を含む１または複数の無線レシーバ（Ｒｘ）；および／または無線通信信号、ＲＦ信号、フレーム、ブロック、送信ストリーム、パケット、メッセージ、データアイテム、および／またはデータを送信する回路および／または論理を含む１または複数の無線トランスミッタ（Ｔｘ）を含むことができる。
【００８８】
幾つかの例示的実施態様では、ｍｍＷａｖｅトランシーバ３３０は、回路、論理、変調エレメント、復調エレメント、増幅器、アナログ／デジタルおよびデジタル／アナログコンバータ、フィルタ、および／または類似物を含むことができ、これらは、ｍｍＷａｖｅ周波数帯域を通じて送信されるべき１または複数のメッセージを処理し、および／またはｍｍＷａｖｅ帯域を通じて受信される１または複数のメッセージを処理するように構成され得る。
【００８９】
幾つかの例示的実施態様では、ｍｍＷａｖｅトランシーバ３３０は、例えば指向性アンテナ３３および／または３３２を含む１または複数の指向性アンテナを含むことができ、またはそれらの指向性アンテナと関連付けられることができる。アンテナ３３１および／または３３２は、ｍｍＷａｖｅ周波数帯域を通じて無線通信信号、ブロック、フレーム、送信ストリーム、パケット、メッセージおよび／またはデータを送信しおよび／または受信するのに適する任意のタイプのアンテナを含むことができる。例えば、アンテナ３３１および／または３３２は、１または複数のアンテナ素子、コンポーネント、ユニット、アセンブリおよび／またはアレイの任意の適切な構成、構造および／または配置を含むことができる。アンテナ３３１および／または３３２は、例えばビームフォーミング手法を用いる指向性通信に適するアンテナを含むことができる。例えば、アンテナ３３１および／または３３２は、フェイズドアレイアンテナ、多素子アンテナ、切り替えビームアンテナのセット、および／または類似物を含むことができる。幾つかの実施態様では、アンテナ３３１および／または３３２は、別々の送信および受信アンテナ素子を用いて送信および受信機能を実施することができる。幾つかの実施態様では、アンテナ３３１および／または３３２は、共通および／または統合送信／受信素子を用いて送信および受信機能を実施することができる。
【００９０】
幾つかの例示的実施態様では、アンテナ３３２および／または３３２は、例えば、ｍｍＷａｖｅ周波数帯域を通じて指向性通信を行うために複数のビーム方向に向けられ得る指向性アンテナを含むことができる。
【００９１】
幾つかの例示的実施態様では、ｍｍＷａｖｅトランシーバ３３０およびセルラトランシーバ３０２は、例えば上で記載されたように、別々のアンテナを使用することができる。他の実施態様では、１または複数のアンテナがｍｍＷａｖｅトランシーバ３３０とセルラトランシーバ３０２とに共有され得る。
【００９２】
幾つかの例示的実施態様では、ノード３００は、例えば以下で記載されるように、ノード３００の１または複数の機能を制御しおよび／またはノード３００により行われる１または複数の通信を制御するコントローラ３４０を含むことができる。例えば、ノード１０２、ノード１０４、ノード１０６、および／またはノード１０８（図１）は、コントローラ３４０を含むことができる。
【００９３】
幾つかの例示的実施態様では、コントローラ３４０は、適切な回路および／または論理、例えばコントローラ回路および／または論理、スケジューラ回路および／または論理、プロセッサ回路および／または論理、メモリ回路および／または論理、および／または他の任意の回路および／または論理、を含むことができまたはこれらを用いて実装されることができ、これらはコントローラ３４０の機能の少なくとも一部を実行するように構成され得る。追加的にまたは代わりに、コントローラ３４０の１または複数の機能は、例えば以下で記載されるように、マシンおよび／または１または複数のプロセッサにより実行され得る論理によって実装され得る。
【００９４】
幾つかの例示的実施態様では、コントローラ３４０の機能の少なくとも一部は集積回路、例えばチップ、例えばシステムオンチップ（ＳｏＣ：Ｓｙｓｔｅｍ  ｏｎ  Ｃｈｉｐ）、によって実装され得る。一例では、そのチップまたはＳｏＣは、セルラトランシーバ３０２および／またはｍｍＷａｖｅトランシーバ３３０の１または複数の機能を実行するように構成され得る。例えば、チップまたはＳｏＣは、コントローラ３４０の１または複数の要素、および／またはセルラトランシーバ３０２および／またはｍｍＷａｖｅトランシーバ３３０の１または複数の要素を含むことができる。一例では、コントローラ３４０、セルラトランシーバ３０２、およびｍｍＷａｖｅトランシーバ３３０はチップまたはＳｏＣの一部として実装され得る。
【００９５】
他の実施態様では、コントローラ３４０、セルラトランシーバ３０２および／またはｍｍＷａｖｅトランシーバ３３０は、ノード３００の１または複数の追加のまたは代わりの要素によって実装され得る。
【００９６】
幾つかの例示的実施態様では、ノード３００は、例えばプロセッサ３２０、メモリユニット３２２、および／またはストレージユニット３２４のうちの１または複数を含むことができる。一例では、プロセッサ３２０、メモリ３２２および／またはストレージ３２４のうちの１または複数は、トランシーバ３０２、トランシーバ３３０、および／またはコントローラ３４０とは別の１または複数の要素として実装され得る。他の一例では、プロセッサ３２０、メモリ３２２および／またはストレージ３２４のうちの１または複数はトランシーバ３０２、トランシーバ３３０、および／またはコントローラ３４０の一部として実装され得る。
【００９７】
幾つかの例示的実施態様では、プロセッサ３２０は、例えば、中央処理装置（ＣＰＵ：Ｃｅｎｔｒａｌ  Ｐｒｏｃｅｓｓｉｎｇ  Ｕｎｉｔ）、デジタル信号処理装置（ＤＳＰ：Ｄｉｇｉｔａｌ  Ｓｉｇｎａｌ  Ｐｒｏｃｅｓｓｏｒ）、１または複数のプロセッサコア、シングルコアプロセッサ、デュアルコアプロセッサ、マルチプルコアプロセッサ、マイクロプロセッサ、ホストプロセッサ、コントローラ、複数のプロセッサもしくはコントローラ、チップ、マイクロチップ、１または複数の回路、回路網、論理ユニット、集積回路（ＩＣ：Ｉｎｔｅｇｒａｔｅｄ  Ｃｉｒｃｕｉｔ）、特定用途向け集積回路（ＡＳＩＣ：Ａｐｐｌｉｃａｔｉｏｎ−Ｓｐｅｃｉｆｉｃ  ＩＣ）、または他の任意の適切な多目的もしくは特別プロセッサもしくはコントローラを含む。プロセッサ３２０は、例えば、ノード３００のオペレーティングシステム（ＯＳ：Ｏｐｅｒａｔｉｎｇ  Ｓｙｓｔｅｍ）および／または１または複数の適切なアプリケーションの命令を実行する。
【００９８】
幾つかの例示的実施態様では、メモリユニット３２２は、例えば、ランダムアクセスメモリ（ＲＡＭ：Ｒａｎｄｏｍ  Ａｃｃｅｓｓ  Ｍｅｍｏｒｙ）、読み出し専用メモリ（ＲＯＭ：Ｒｅａｄ  Ｏｎｌｙ  Ｍｅｍｏｒｙ）、ダイナミックＲＡＭ（ＤＲＡＭ：Ｄｙｎａｍｉｃ  ＲＡＭ）、シンクロナスＤＲＡＭ（ＳＤ−ＲＡＭ：Ｓｙｎｃｈｒｏｎｏｕｓ  ＤＲＡＭ）フラッシュメモリ、揮発性メモリ、不揮発性メモリ、キャッシュメモリ、バッファ、ショートタームメモリユニット、ロングタームメモリユニット、または他の適切なメモリユニットを含む。ストレージユニット３２４は、例えば、ハードディスクドライブ、フロッピー（登録商標）ディスクドライブ、コンパクトディスク（ＣＤ：Ｃｏｍｐａｃｔ  Ｄｉｓｋ）ドライブ、ＣＤ−ＲＯＭドライブ、ＤＶＤドライブ、または他の適切な取り外し可能なもしくは取り外し不可能なストレージユニットを含む。メモリユニット３２２および／またはストレージユニット３２４は、例えば、ノード３００により処理されたデータを記憶することができる。
【００９９】
図１に戻って参照する。幾つかの例示的実施態様では、ノード１０８は、ＰＣｅｌｌ、例えばＰＣｅｌｌ１１０、のセルラ周波数帯域を通じてＤｅＮＢ、例えばノード１０２、と通信するように構成されているセルラトランシーバ、例えばセルラトランシーバ３０２（図３）、を含むことができる。
【０１００】
幾つかの例示的実施態様では、ノード１０８は、ＰＣｅｌｌ１１０内のＳＣｅｌｌのｍｍＷａｖｅ周波数帯域を通じてバックホールリンク、例えばバックホールリンク１１６、を介してＲＮ、例えばノード１０４、と通信するためのｍｍＷａｖｅトランシーバ、例えばｍｍＷａｖｅトランシーバ３３０（図３）、を含むことができる。
【０１０１】
幾つかの例示的実施態様では、ノード１０８は、ＰＣｅｌｌ１１０のセルラ周波数帯域を通じたノード１０８により受信された中継物理ダウンリンク制御チャネル（Ｒ−ＰＤＣＣＨ：Ｒｅｌａｙ−Ｐｈｙｓｉｃａｌ−Ｄｏｗｎｌｉｎｋ−Ｃｏｎｔｒｏｌ−Ｃｈａｎｎｅｌ）メッセージを処理するように構成され得る。例えば、ノード１０８は、ＰＣｅｌｌ１１０のセルラ周波数帯域を通じてノード１０８のセルラトランシーバ３０２（図３）により受信され得るＲ−ＰＤＣＣＨメッセージを処理するように構成されたコントローラ、例えばコントローラ３０２（図３）、を含むことができる。
【０１０２】
幾つかの例示的実施態様では、Ｒ−ＰＤＣＣＨメッセージは、例えば以下に記載されるように、例えばシグナリングスキーム２００（図２）に従って、バックホールリンク１１６を通じたダウンリンク割り当てをスケジューリングするためのクロスキャリアスケジューリング情報を含むことができる。
【０１０３】
幾つかの例示的実施態様では、ノード１０８のコントローラ３４０（図３）は、Ｒ−ＰＤＣＣＨメッセージによりシグナリングされるダウンリンク割り当て中にノード１０４からダウンリンクデータパケットを受信するようにノード１０８のｍｍＷａｖｅトランシーバ３３０（図３）をトリガするように構成され得る。
【０１０４】
幾つかの例示的実施態様では、ノード１０８のセルラトランシーバ３０２（図３）は、以下で記載されるように、ＤｅＮＢから、例えばノード１０２から、Ｒ−ＰＤＣＣＨメッセージを受信するように構成され得る。
【０１０５】
幾つかの例示的実施態様では、ノード１０８のセルラトランシーバ３０２（図３）は、例えば以下で記載されるように、ＲＮ１０４からＲ−ＰＤＣＣＨメッセージを受信するように構成され得る。
【０１０６】
幾つかの例示的実施態様によるスケジューリングスキームを概略的に示す図４を参照する。
【０１０７】
幾つかの例示的実施態様では、図４に示されているように、ＤｅＮＢノード４０２は、ＰＣｅｌｌ４１０内のＲＮ４０４およびＲＮ４０８と通信するように構成され得る。例えば、ＤｅＮＢ４０２はノード１０２（図１）の機能を実行することができ、ＲＮ４０４はノード１０４（図１）の機能を実行することができ、および／またはＲＮ４０８はノード１０８（図１）の機能を実行することができる。
【０１０８】
幾つかの例示的実施態様では、ＤｅＮＢ４０２は、ＰＣｅｌｌ４１０のセルラ周波数帯域を通じてＲＮ４０４およびＲＮ４０８と通信するように構成されたセルラトランシーバ、例えばセルラトランシーバ３０２（図３）、を含むことができる。
【０１０９】
幾つかの例示的実施態様では、ＤｅＮＢ４０２は、例えばＰＣｅｌｌ４１０内のＲＮｓ間のＲＮバックホールリンクに沿って、例えばｍｍＷ−ＮＣＴでのデータパケットの通信をスケジューリングするために、Ｒ−ＰＤＣＣＨメッセージをマクロセルのＲＮｓに送信するように構成され得る。
【０１１０】
幾つかの例示的実施態様では、ＤｅＮＢ４０２は、１または複数ｍｍＷａｖｅバックホールリンクを介してＰＣｅｌｌ４１０内の１または複数のＲＮｓと通信するように構成されたｍｍＷａｖｅトランシーバ、例えばｍｍＷａｖｅトランシーバ３３０（図３）、を含むことができる。
【０１１１】
例えば、ＤｅＮＢ４０２は、ｍｍＷａｖｅ周波数帯域を通じてバックホールリンク、例えばバックホールリンク４１２、を介して第１ＲＮ、たとえばＲＮ４０４、と通信することができる。
【０１１２】
幾つかの例示的実施態様では、ＰＣｅｌｌ４１０内の１または複数のＲＮｓは、ＤｅＮＢ４０２とのマルチホップバックホール接続を有することができる。例えば、第２ＲＮ、例えばＲＮ４０８、はＲＮ４０８とＲＮ４０４との間のｍｍＷａｖｅバックホールリンク４１６を介してＤｅＮＢ４０２と２ホップ接続を有することができる。
【０１１３】
幾つかの例示的実施態様では、ＤｅＮＢ４０２は、第１ＲＮと第２ＲＮとの間のバックホールリンク、例えばＲＮ４０４とＲＮ４０８との間のバックホールリンク４１６、を通じてデータパケット４１５を通信するためにダウンリンク割り当てをスケジューリングするクロスキャリアスケジューリング情報を含むＲ−ＰＤＣＣＨメッセージ４３０を第２ＲＮ、例えばＲＮ４０８、に送信するようにＤｅＮＢ４０２のセルラトランシーバをトリガするように構成されたコントローラ、例えばコントローラ３４０（図３）、を含むことができる。
【０１１４】
幾つかの例示的実施態様では、ｎ＞１の場合のｎホップＲＮについては、Ｒ−ＰＤＣＣＨおよび関連するデータパケットは、異なるノードからそのｎホップＲＮに送信され得る。例えば、ＤｅＮＢ４０２はＲ−ＰＤＣＣＨメッセージをｎホップＲＮに送信することができ、ｍｍＷ−ＮＣＴのスケジューリングされたデータパケットはアップストリームＲＮからｎホップＲＮに送信され得る。例えば、図４に示されているように、ＲＮ４０８はｍｍＷａｖｅバックホールリンク４１６を通じてＲＮ４０４からｍｍＷ−ＮＣＴのデータパケット４１５を受信することができ、データパケット４１５の送信をスケジューリングするＲ−ＰＤＣＣＨメッセージ４３０はＤｅＮＢ４０２からセルラ帯域を介してＲＮ４０８に送信され得る。
【０１１５】
幾つかの例示的実施態様では、ＤｅＮＢ４０２は、例えば以下で記載されるように、バックホールリンク４１６を介してＲＮ４１６に中継されるべきデータパケットを、例えばバックホールリンク４１２を介してＲＮ４０４に送るように構成され得る。
【０１１６】
幾つかの例示的実施態様では、例えば以下に記載されるように、ＤｅＮＢ４０２は、データパケット４１５がＲＮ４０４からＲＮ４０８に送信されるべき送信時間インターバル（ＴＴＩ：Ｔｒａｎｓｍｉｔ  Ｔｉｍｅ  Ｉｎｔｅｒｖａｌ）をスケジューリングするためにＲ−ＰＤＣＣＨメッセージ４３０をＲＮ４０８に送信するように構成され得る。
【０１１７】
幾つかの例示的実施態様では、ＤｅＮＢ４０２のコントローラ３４０（図３）は、ＲＮ４０４からＲＮ４０８へのｍｍＷａｖｅバックホールリンク４１６のためのｍｍＷ−ＮＣＴの無線リソースを管理するように構成され得る。これらの実施態様では、ＲＮ４０８は、例えば、ＲＮ４０８にとってＤｅＮＢ４０２が無線コアネットワークの方への該ＲＮの唯一のドナーｅＮＢとして動作し得るという意味において、ＲＮ４０４をＤｅＮＢ４０２の一部、例えばリモートラジオヘッド、とみなすことができる。
【０１１８】
幾つかの例示的実施態様では、ＤｅＮＢ４０２およびＲＮ４０８は、例えばＲ−ＰＤＣＣＨメッセージ４３０および関連するデータパケット４１５が異なるセルおよび／またはサイトから送信され得るとしても、例えば、Ｒ−ＰＤＣＣＨメッセージ４３０と、Ｒ−ＰＤＣＣＨメッセージ４３０によりスケジューリングされ得るその関連するデータパケット４１５との時間アライメントを保証するように構成され得るシグナリング方法に従って、通信するように構成され得る。
【０１１９】
幾つかの例示的実施態様では、ＤｅＮＢ４０２は、ＤｅＮＢ４０２とＲＮ４０８との間のセルラリンク上のＲ−ＰＤＣＣＨメッセージ４３０によりスケジューリングされるタイミングと、ＲＮ４０４とＲＮ４０８との間のｍｍＷａｖｅバックホールリンク４１６でのデータパケット４１５の通信のタイミングとのタイミングアライメントを制御するように構成され得る。
【０１２０】
幾つかの例示的実施態様では、ＤｅＮＢ４０２は、ＲＮ４０４およびＲＮ４０８の両方のためにＤｅＮＢとしてサービスすることができる。従って、幾つかの例示的実施態様では、ＲＮ４０４からＲＮ４０８へのｍｍＷ−ＮＣＴでのデータパケット４１５の送信は、例えば、以下で記載されるように、例えばＤｅＮＢ４０２により要求されることのあるアップリンクデータスケジューリングによって実現され得る。
【０１２１】
幾つかの例示的実施態様では、例えば以下に記載されるように、ＤｅＮＢ４０２は、第１送信時間インターバル（ＴＴＩ：Ｔｒａｎｓｍｉｔ  Ｔｉｍｅ  Ｉｎｔｅｒｖａｌ）の間に、ＲＮ４０８に第１Ｒ−ＰＤＣＣＨメッセージ、例えばＲ−ＰＤＣＣＨメッセージ４３０、を送信するように構成され得る。例えば以下に記載されるように、第１Ｒ−ＰＤＣＣＨメッセージは、例えば第１ＴＴＩの後の第２ＴＴＩの間のもしくは前の、バックホールリンク４１６を通じたＲＮ４０４からＲＮ４０８へのデータパケットのアップリンク送信をスケジューリングするように構成され得る。
【０１２２】
幾つかの例示的実施態様では、ＤｅＮＢ４０２は、例えば以下に記載されるように、第２ＴＴＩの間または前にＲＮ４０４に第２Ｒ−ＰＤＣＣＨメッセージを送信するように構成され得る。
【０１２３】
幾つかの例示的実施態様では、第２Ｒ−ＰＤＣＣＨメッセージは、例えば以下に記載されるように、ＲＮ４０４からのデータパケットのＲＮ４０８でのダウンリンク受信をスケジューリングするように構成され得る。
【０１２４】
幾つかの例示的実施態様では、例えば上で記載されたように、ＲＮ４０４（図４）からＲＮ４０８（図４）へのデータパケット４１５（図４）のｍｍＷａｖｅバックホールリンク４１６（図４）を介しての送信をスケジューリングするＲ−ＰＤＣＣＨ４３０（図４）をＲＮ４０４に送信するようにＤｅＮＢ４０２を構成すれば、ＲＮ４０８はＤｅＮＢ４０２（図４）からのＲ−ＰＤＣＣＨ４３０（図４）だけを監視すればよいことになり得る。
【０１２５】
幾つかの例示的実施態様では、例えば上で記載されたように、ＲＮ４０４（図４）からＲＮ４０８（図４）へのｍｍＷａｖｅバックホールリンク４１６（図４）を介してのデータパケット４１５（図４）の送信をスケジューリングするＲ−ＰＤＣＣＨ４３０（図４）をＲＮ４０４に送信するようにＤｅＮＢ４０２を構成すれば、例えばＤｅＮＢ４０２によるｍｍＷ−ＮＣＴ無線リソースの集中制御および／または最適化が可能になり得る。例えば、Ｒ−ＰＤＣＣＨ４３０（図４）およびデータパケット４１５（図４）は異なるサイトから送信されるので、例えば上に記載されたように、このスキームはタイミングアライメントを利用することができる。このスキームは、例えば以下に記載されるように、新しいおよび／または改善されたＲ−ＰＤＣＣＨプロシージャを利用することもできる。
【０１２６】
図５も参照すると、この図は、幾つかの例示的実施態様による、図４のスケジューリングスキームに従ってＤｅＮＢ４０２、ノード４０４、およびノード４０８によって行われる通信および動作を概略的に示す。
【０１２７】
幾つかの例示的実施態様では、図５に示されているように、ｎと表記される第１サブフレームにおいて、ＤｅＮＢ４０２は、後のサブフレーム、例えばサブフレームｎ＋ｋ、でｍｍＷ−ＮＣＴリンク４１６（図４）においてＲＮ４０４からＲＮ４０８の方へ送信されるべきデータパケット、例えばデータパケット４５１（図４）、の「アップリンク」送信をスケジューリングするために第１Ｒ−ＰＤＣＣＨメッセージ５２０をＲＮ４０４へ送信することができる。
【０１２８】
幾つかの例示的実施態様では、図５に示されているように、サブフレームｎ＋ｋにおいて、ＤｅＮＢ４０２は、ｍｍＷ−ＮＣＴリンク４１６（図４）を介するデータパケットの「ダウンリンク」送信をスケジューリングするように構成５２２された第２Ｒ−ＰＤＣＣＨメッセージ５２２をＲＮ４０８に送信することができる。第２Ｒ−ＰＤＣＣＨメッセージ５２２は、ＲＮ４０８での「ダウンリンク」送信を、例えば実質的に第１Ｒ−ＰＤＣＣＨメッセージ５２０によりＲＮ４０４のためにスケジューリングされた「アップリンク」送信と整列してスケジューリングするように構成され得る。従って、例えば、ＲＮ４０８は、例えばＲＮ４０４がデータパケットをＲＮ４０８へ送信するようにスケジューリングされる同じサブフレームの間に、データパケットをＲＮ４０４から受信するようにスケジューリングされ得る。
【０１２９】
幾つかの例示的実施態様では、ＲＮ４０８のコントローラ３４０（図３）は、第１Ｒ−ＰＤＣＣＨメッセージ５２０と関連するＴＴＩの間に、例えばサブフレームｎ＋ｋの間に、バックホールリンク４１６（図４）を介してダウンリンクデータパケットを受信するようにＲＮ４０８のｍｍＷａｖｅトランシーバ３３０（図３）をトリガするように構成され得る。
【０１３０】
幾つかの例示的実施態様では、図５に関して上に記載されたシグナリング通信は、セル間サイト間ＣＡスキームにも適用され得る。
【０１３１】
図６を参照すると、この図は、幾つかの例示的実施態様による他の１つのスケジューリングスキームを概略的に示す。
【０１３２】
幾つかの例示的実施態様では、図６に示されているように、ＤｅＮＢ６０２は、ＰＣｅｌｌ６１０内のＲＮ６０４およびＲＮ６０８と通信するように構成され得る。例えば、ＤｅＮＢ６０２はノード１０２（図１）の機能を実行することができ、ＲＮ６０４はノード１０４（図１）の機能を実行することができ、および／またはＲＮ６０８はノード１０８（図１）の機能を実行することができる。
【０１３３】
幾つかの例示的実施態様では、ＤｅＮＢ６０２は、ＰＣｅｌｌ６１０のセルラ周波数帯域を通じてＲＮ６０４およびＲＮ６０８と通信するように構成されたセルラトランシーバ、例えばセルラトランシーバ３０２（図３）、を含むことができる。
【０１３４】
幾つかの例示的実施態様では、ＤｅＮＢ６０２は、１または複数のｍｍＷａｖｅバックホールリンクを介してＰＣｅｌｌ６１０内の１または複数のＲＮｓと通信するように構成されたｍｍＷａｖｅトランシーバ、例えばｍｍＷａｖｅトランシーバ３３０（図３）、を含むことができる。
【０１３５】
例えば、ＤｅＮＢ６０２は、ｍｍＷａｖｅ周波数帯域を通じてバックホールリンク、例えばバックホールリンク６１２、を介して第１ＲＮ、例えばＲＮ６０４、と通信することができる。
【０１３６】
幾つかの例示的実施態様では、ＰＣｅｌｌ６１０内の１または複数のＲＮｓはＤｅＮＢ６０２とのマルチホップバックホール接続を有することができる。例えば、第２ＲＮ、例えばＲＮ６０８、はＲＮ６０４およびアップストリームＲＮ、例えばＲＮ６０８、との間のｍｍＷａｖｅバックホールリンク６１６を介するＤｅＮＢ６０２との２ホップ接続を有することができる。
【０１３７】
幾つかの例示的実施態様では、ＤｅＮＢ６０２は、ＲＮ６０４によりバックホールリンク６１６を介してＲＮ６０６へ中継されるべきデータパケットを例えばバックホールリンク６１２を介してＲＮ６０４に送信するように構成され得る。
【０１３８】
幾つかの例示的実施態様では、ＤｅＮＢ６０２、ＲＮ６０４および／またはＲＮ６０８は、例えば以下に記載されるように、ＲＮ６０４からＲＮ６０４へ中継されるべきデータパケット６１５と関連付けられているＲ−ＰＤＣＣＨ６３０をＲＮ６０４がＲＮ６０８へ送信することを可能にするように構成され得る。
【０１３９】
幾つかの例示的実施態様では、例えば以下に記載されるように、ＤｅＮＢ６０２は、例えば、Ｒ−ＰＤＣＣＨ６３０および関連するデータパケット６１５が同じサイトから、例えばＲＮ６０４から、マルチホップＲＮへ送信され得るように、ＰＣｅｌｌ６１０のマルチホップＲＮｓ、例えばＲＮ６０８、により監視されるように複数のＲ−ＰＤＣＣＨセットを設定することができる。
【０１４０】
幾つかの例示的実施態様では、ＤｅＮＢ６０２は、例えば、ＤｅＮＢ６０２から送信され得るＲ−ＰＤＣＣＨｓの第１セット（「Ｒ−ＰＤＣＣＨｓのプライマリセット」）およびＲＮ６０４により送信され得るＲ−ＰＤＣＣＨｓの第２セット（「Ｒ−ＰＤＣＣＨｓのセカンダリセット」）を含む２つのＲ−ＰＤＣＣＨセットを監視するようにＲＮ６０８を設定することができる。
【０１４１】
幾つかの例示的実施態様では、ＲＮ６０４は、例えばｍｍＷａｖｅバックホールリンク６１６を介して、ＲＮ６０４のｍｍＷ−ＮＣＴからＲＮ６０８へのデータパケット６１５の送信をスケジューリングするためにダウンリンク制御情報をＲＮ６０８に伝えるためにセカンダリＲ−ＰＤＣＣＨｓを使用することができる。
【０１４２】
幾つかの例示的実施態様では、例えば以下に記載されるように、ＤｅＮＢ６０２は、プライマリＲ−ＰＤＣＣＨメッセージ６３９をＤｅＮＢ６０２およびＲＮｓ６０４および／または６０８の間で通信するようにＲ−ＰＤＣＣＨｓのプライマリセットを、セカンダリＲ−ＰＤＣＣＨメッセージをＲＮｓ６０４および６０８の間で通信するようにＲ−ＰＤＣＣＨｓのセカンダリセットを設定することができるコントローラ、例えばコントローラ３４０（図３）、を含むことができる。
【０１４３】
幾つかの例示的実施態様では、例えば以下に記載されるように、ＤｅＮＢ６０２は、Ｒ−ＰＤＣＣＨｓのプライマリセットおよびＲ−ＰＤＣＣＨｓのセカンダリセットの設定情報を含むメッセージをＲＮ６０８に送信するように構成され得る。
【０１４４】
幾つかの例示的実施態様では、ＤｅＮＢ６０２は、プライマリおよびセカンダリＲ−ＰＤＣＣＨチャネルの設定情報を無線リソース制御（ＲＲＣ：Ｒａｄｉｏ−Ｒｅｓｏｕｒｃｅ−Ｃｏｎｔｒｏｌ）メッセージまたは他の任意の適切なタイプのメッセージの一部として送信するように構成され得る。
【０１４５】
幾つかの例示的実施態様では、ＲＮ６０８は、異なるサイトから送信され得る２つのＲ−ＰＤＣＣＨセット、例えばＤｅＮＢ６０２からのプライマリＲ−ＰＤＣＣＨセットおよびＲＮ６０４からのセカンダリＲ−ＰＤＣＣＨセット、を監視するように設定され得る。
【０１４６】
幾つかの例示的実施態様では、ＤｅＮＢ６０２は、Ｒ−ＰＤＣＣＨシグナリングをＲＮ、例えばＲＮ６０４に、例えばＤｅＮＢ６０２がマクロスペクトラムを用いてＰＣｅｌｌ６１０からのバックホールリンクデータパケットを該ＲＮに送るべき時に、送るように設定され得る。
【０１４７】
幾つかの例示的実施態様では、ＲＮ６０４は、例えば、ＲＮ６０４からＲＮ６０８へのバックホールリンクデータパケット６１５の例えばバックホールリンク６１６を通じたｍｍＷ−ＮＣＴ  ＳＣＣでの送信をスケジューリングするために、Ｒ−ＰＤＣＣＨシグナリングをＲＮ６０８に送るように設定され得る。
【０１４８】
幾つかの例示的実施態様では、例えばデータパケットをＲＮ６０８に送信するべきＲＮ６０４においてＲ−ＰＤＣＣＨシグナリングを配列すれば、Ｒ−ＰＤＣＣＨシグナリングおよびＲＮ６０８へのデータパケット送信の間のタイミングアライメントを保証することが可能になるであろう。
【０１４９】
幾つかの例示的実施態様では、ＲＮ６０８は、ＲＮ６０８にとってＤｅＮＢ６０２が自身のための無線コアネットワークの方への唯一のドナーｅＮＢとして役立つことができるという意味において、ＲＮ６０４をＤｅＮＢ６０２の一部、例えばリモートラジオヘッド、とみなすことができる。
【０１５０】
図７を参照すると、この図は、幾つかの例示的実施態様による、図６のスケジューリングスキームに従ってＤｅＮＢ６０２およびＲＮ６０８によって行われる通信および動作について概略的に示す。
【０１５１】
幾つかの例示的実施態様では、図７に示されているように、ＤｅＮＢ６０２およびＲＮ６０８は、例えば以下に記載されるように、ＲＮ６０８のためにプライマリＲ−ＰＤＣＣＨセットおよびセカンダリＲ−ＰＤＣＣＨセットを設定するべくＲＲＣシグナリングを利用するように構成され得る。
【０１５２】
幾つかの例示的実施態様では、図７に示されているように、ＲＮ６０８は、１または複数の隣接するｍｍＷ−ＮＣＴセル、例えばＲＮ６０４のＳＣｅｌｌ（図６）、を発見する（７２０）ように構成され得る。ＲＮ６０８は、発見されたｍｍＷ−ＮＣＴセルに対応する１または複数のパラメータの１または複数の測定、例えば、参照信号受信電力（ＲＳＲＰ：Ｒｅｆｅｒｅｎｃｅ  Ｓｉｇｎａｌ  Ｒｅｃｅｉｖｅｄ  Ｐｏｗｅｒ）測定、参照信号受信品質（ＲＳＲＱ：Ｒｅｆｅｒｅｎｃｅ  Ｓｉｇｎａｌ  Ｒｅｃｅｉｖｅｄ  Ｑｕａｌｉｔｙ）測定、および／または他の任意の測定、を行うことができる。
【０１５３】
幾つかの例示的実施態様では、図７に示されているように、ＲＮ６０８は、１または複数の発見されたｍｍＷ−ＮＣＴセルに対応する測定されたパラメータの報告を含むメッセージ７２２、例えばＲＲＣメッセージ、をＤｅＮＢ６０２に送るように構成され得る。
【０１５４】
幾つかの例示的実施態様では、図７に示されているように、ＤｅＮＢ６０２は、例えばデータパケットをＤｅＮＢ６０２からＲＮ６０８へ中継するために、ＲＮ６０４にサービスする１または複数のｍｍＷ−ＮＣＴセルを決定する（７２４）ように構成され得る。
【０１５５】
幾つかの例示的実施態様では、図７に示されているように、ＤｅＮＢ６０２は、ＤｅＮＢ６０２およびＲＮ６０８間の通信をスケジューリングするために使用されるべきプライマリＲ−ＰＤＣＣＨセット、および、アップストリームＲＮ、例えばＲＮ６０４（図６）からＲＮ６０８への通信をスケジューリングするために使用されるべき第２Ｒ−ＰＤＣＣＨセットの設定をＲＮ６０８へシグナリングするために、１または複数のＲＲＣシグナリングメッセージ７２６をＲＮ６０８に送るように構成され得る。
【０１５６】
幾つかの例示的実施態様では、図７に示されているように、ＲＮ６０８は、プライマリおよびセカンダリＲ−ＰＤＣＣＨセットの設定を受け取ったことを知らせるＲＲＣシグナリング確認応答７２８をＤｅＮＢ６０２に送るように構成され得る。
【０１５７】
幾つかの例示的実施態様では、図７に示されているように、ＲＮ６０８は、例えばＲＲＣシグナリングメッセージ７２６に従って、プライマリおよびセカンダリＲ−ＰＤＣＣＨセットを監視する（７３０）ように構成され得る。
【０１５８】
幾つかの例示的実施態様では、例えば上で記載されたようにＤｅＮＢ６０２がｍｍＷａｖｅバックホールリンク６１６（図６）を介してのＲＮ６０４（図６）からＲＮ６０８（図６）へのデータパケット６１５（図６）の送信をスケジューリングするようにセカンダリＲ−ＰＤＣＣＨ６３０（図６）を設定し得るようにすれば、スケジューリングされたデータパケット６１５（図６）と同じサイトからのＲ−ＰＤＣＣＨ６３０（図６）の送信が可能となり得、従って、タイミングアライメントの処理は必要でなくなるであろう。
【０１５９】
幾つかの例示的実施態様では、例えば上で記載されたようにＤｅＮＢ６０２がｍｍＷａｖｅバックホールリンク６１６（図６）を介してのＲＮ６０４（図６）からＲＮ６０８（図６）へのデータパケット６１５（図６）の送信をスケジューリングするようにセカンダリＲ−ＰＤＣＣＨ６３０（図６）を設定し得るようにすれば、バックホール制御およびデータトラフィックをＰＣｅｌｌおよびｍｍＷ−ＮＣＴ  Ｓｃｅｌｌから動的に送信し得るであろう。このスキームは、例えば上で記載されたように、複数のＲ−ＰＤＣＣＨセットの新しいおよび／または改善された定義、および／または新しいおよび／または改善されたＲＲＣシグナリングを利用することもできる。
【０１６０】
図８を参照すると、この図は、幾つかの例示的実施態様による他の１つのスケジューリングスキームを概略的に示す。
【０１６１】
幾つかの例示的実施態様では、図８に示されているように、ＤｅＮＢ８０２は、ＰＣｅｌｌ８１０内のＲＮ８０４およびＲＮ８０８と通信するように構成され得る。例えば、ＤｅＮＢ８０２はノード１０２（図１）の機能を実行することができ、ＲＮ８０４はノード１０４（図１）の機能を実行することができ、および／またはＲＮ８０８はノード１０８（図１）の機能を実行することができる．
【０１６２】
幾つかの例示的実施態様では、ＤｅＮＢ８０２は、ＰＣｅｌｌ８１０のセルラ周波数帯域を通じてＲＮ８０４およびＲＮ８０８と通信するように構成されたセルラトランシーバ、例えばセルラトランシーバ３０２（図３）、を含むことができる。
【０１６３】
幾つかの例示的実施態様では、ＤｅＮＢ８０２は、１または複数のｍｍＷａｖｅバックホールリンクを介してＰＣｅｌｌ８１０内の１または複数のＲＮｓと通信するように構成されたｍｍＷａｖｅトランシーバ、例えばｍｍＷａｖｅトランシーバ３３０（図３）、を含むことができる。
【０１６４】
例えば、ＤｅＮＢ８０２は、ｍｍＷａｖｅ周波数帯域を通じて、バックホールリンク、例えばバックホールリンク８１２、を介して第１ＲＮ、例えばＲＮ８０４、と通信することができる。
【０１６５】
幾つかの例示的実施態様では、ＰＣｅｌｌ８１０内の１または複数のＲＮｓは、ＤｅＮＢ８０２とのマルチホップバックホール接続を有することができる。例えば、第２ＲＮ、例えばＲＮ８０８は、ＲＮ８０８とＲＮ８０４との間のｍｍＷａｖｅバックホールリンク８１６を介してＤｅＮＢ８０２との２ホップ接続を有することができる。
【０１６６】
幾つかの例示的実施態様では、ＤｅＮＢ８０２は、第２ＲＮ（「ダウンストリームＲＮ」）、例えばＲＮ８０８、のためのＤｅＮＢとしてサービスするように第１ＲＮ（「アップストリームＲＮ」）、例えばＲＮ８０４、をトリガするように構成され得る。例えば、ダウンストリームＲＮはｎ個の中継ホップを介してＤｅＮＢ８０２に接続されたＲＮを含むことができ、アップストリームＲＮは単一の中継ホップを介してダウンストリームＲＮに接続されたＲＮを含むことができる。例えば、アップストリームＲＮは、ｎ−１個の中継ホップを介してＤｅＮＢ８０２に接続されたＲＮを含むことができる。
【０１６７】
幾つかの例示的実施態様では、ＤｅＮＢ８０２は、ＰＣｅｌｌ８１０内の１または複数のＳＣｅｌｌにより提供されるｍｍＷ−ＮＣＴカバレージの可能なマルチホップルーティング経路に従って、第１ＲＮ、例えばＲＮ６０８、を第２ＲＮ、例えばＲＮ６０４、にキャンプさせるべくハンドオーバ、例えば２ステップＤｅＮＢハンドオーバ、をトリガするように構成されたコントローラ、例えばコントローラ３４０（図３）を含むことができる。
【０１６８】
幾つかの例示的実施態様では、例えば、図８に示されているように、第１段階においてＤｅＮＢ８０２はＲＮ８０４およびＲＮ８０８の両方のためにＤｅＮＢとしてサービスすることができる。
【０１６９】
幾つかの例示的実施態様では、ｍｍＷ−ＮＣＴカバレージに関する情報は、ＲＮ８０４および／またはＲＮ８０８によって例えばｍｍＷ−ＮＣＴカバレージ検出を行うときにＤｅＮＢ８０２に報告され得る。ＤｅＮＢ８０２は、例えばＤｅＮＢ８０２からＲＮ８０４への第１ｍｍＷａｖｅリンク８１２（ＤｅＮＢ−ｔｏ−ＲＮ−１）およびＲＮ８０４からＲＮ８０８への第２リンク８１６（ＲＮ−１−ｔｏ−ＲＮ−３）を含む２つの１ホップ  ｍｍＷ−ＮＣＴ中継リンクが形成され得ると判定することができる。ＤｅＮＢ８０２は、ＤｅＮＢ８０２のｍｍＷ−ＮＣＴがＲＮ８０８によって検出され得ないと判定することもできる。
【０１７０】
幾つかの例示的実施態様では、ＤｅＮＢ８０２は、例えばＲＮ８０４がＲＮ８０８のＤｅＮＢになり得るように、ＲＮ８０８をＲＮ８０４にハンドオーバすると決定することができる。
【０１７１】
幾つかの例示的実施態様では、例えば以下に記載されるように、ＤｅＮＢ８０２のコントローラ、例えばコントローラ３４０（図３）、はＲＮ８０８をＲＮ８０４にハンドオーバするハンドオーバ要求をＲＮ８０４に送信するようにＤｅＮＢ８０２のセルラトランシーバ、例えばセルラＴＲｘ３０２（図３）、をトリガするように構成され得る。
【０１７２】
幾つかの例示的実施態様では、例えば以下に記載されるように、ＤｅＮＢ８０２のコントローラ、例えばコントローラ３４０（図３）、は、ＲＮ８０４にアタッチするアタッチ要求をＲＮ８０８に送信するようにＤｅＮＢ８０２のセルラトランシーバ、例えばセルラＴＲｘ３０２（図３）、をトリガするように構成され得る。
【０１７３】
幾つかの例示的実施態様では、ＲＮ８０４にキャンプした後、ＲＮ８０８は、例えばデータパケット８１５がＲＮ８０４のｍｍＷ−ＮＣＴでスケジューリングされているかどうかを判定するためにＲＮ８０４から送信されるＲ−ＰＤＣＣＨ８３０を監視するように要求されるだけであろう。
【０１７４】
幾つかの例示的実施態様では、ＤｅＮＢ８０２のコントローラ、例えばコントローラ３４０（図３）、は、例えばｍｍＷａｖｅバックホールリンク８１６を介してＲＮ８０８に中継されるべきデータパケット８１５をＲＮ８０４にバックホールリンク８１２を介して送信するようにＤｅＮＢ８０２のｍｍＷａｖｅトランシーバ、例えばｍｍＷａｖｅ  ＴＲｘ３３０（図３）、をトリガするように構成され得る。
【０１７５】
幾つかの例示的実施態様では、例えば以下で記載されるように、ハンドオーバ要求メッセージおよび／またはアタッチ要求メッセージは、無線リソース制御（ＲＲＣ：Ｒａｄｉｏ  Ｒｅｓｏｕｒｃｅ  Ｃｏｎｔｒｏｌ）メッセージを含むことができる。
【０１７６】
図９は、幾つかの例示的実施態様による、図８のスケジューリングスキームに従ってＤｅＮＢ８０２、ＲＮ８０４、およびＲＮ８０８により行われる通信および動作の略図である。
【０１７７】
幾つかの例示的実施態様では、図９に示されているように、ＤｅＮＢ８０２は、ＲＮ８０８によって検出され得る１または複数のｍｍＷ−ＮＣＴリンクの１または複数のパラメータの測定を要求する測定要求９２０をＲＮ８０８に送るように構成され得る。
【０１７８】
幾つかの例示的実施態様では、ＲＮ８０８は、発見されたｍｍＷ−ＮＣＴセルに対応する１または複数のパラメータの１または複数の測定、例えばＲＳＲＰ測定、ＲＳＲＱ測定、および／または他の任意の測定、を行うことができる。ＲＮ８０８は、１または複数の発見されたｍｍＷ−ＮＣＴセルに対応する測定されたパラメータの報告を含むメッセージ９２２、例えばＲＲＣメッセージ、をＤｅＮＢ８０２に送ることができる。
【０１７９】
幾つかの例示的実施態様では、図９に示されているように、ＤｅＮＢ８０２は、例えば発見されたｍｍＷ−ＮＣＴセルに対応する測定に基づいて、ハンドオーバ決定（９２４）を行うように構成され得る。例えば、図９に示されているように、ＤｅＮＢ８０２は、ＲＮ８０８をＲＮ８０４にハンドオーバするように決定することができる。
【０１８０】
幾つかの例示的実施態様では、図９に示されているように、ＤｅＮＢ８０２は、ＲＮ８０８をＲＮ８０４にハンドオーバするハンドオーバ（ＨＯ：Ｈａｎｄｏｖｅｒ）要求９２６をＲＮ８０４に送るように構成され得る。
【０１８１】
幾つかの例示的実施態様では、図９に示されているように、ＲＮ８０４は、このハンドオーバに対応する１または複数の承認制御動作（９２８）を行うように構成され得る。
【０１８２】
幾つかの例示的実施態様では、図９に示されているように、ＲＮ８０４は、例えばＲＮ８０８のハンドオーバを受け取ったことを知らせるＨＯ要求確認応答９３０をＤｅＮＢ８０２に送るように構成され得る。
【０１８３】
幾つかの例示的実施態様では、図９に示されているように、ＤｅＮＢ８０２は、ＲＮ８０４にアタッチするようにＲＮ８０８をトリガするためにＲＲＣメッセージ、例えばＲＲＣ接続再構成メッセージ９３２、をＲＮ８０８に送るように構成され得る。
【０１８４】
幾つかの例示的実施態様では、図９に示されているように、ＲＮ８０８は、ＤｅＮＢ８０２からデタッチしてＲＮ８０４にアタッチする１または複数の動作（９３４）を行うように構成され得る。
【０１８５】
幾つかの例示的実施態様では、図９に示されているように、ＤｅＮＢ８０２は、ＲＮ８０８からＲＮ８０４がＤｅＮＢとしてサービスすることができるように、ＲＮ８０８に対応するコンテキスト（９３６）をＲＮ８０４に転送するように構成され得る。
【０１８６】
幾つかの例示的実施態様では、図９に示されているように、ＲＮ８０８は、ＤｅＮＢ８０２からのデタッチおよびＲＮ８０４へのアタッチを首尾よく完了すると、ＲＲＣメッセージ、例えばＲＲＣ再構成完了メッセージ９３８、をＲＮ８０４に送るように構成され得る。
【０１８７】
幾つかの例示的実施態様では、例えば上で記載されたように、ＤｅＮＢ８０２がＲＮ８０８（図８）をＲＮ８０４（図８）にハンドオーバできるようにすれば、スケジューリングされたデータパケット８１５（図８）と同じサイトからのＲ−ＰＤＣＣＨ８３０（図８）の送信が可能となるであろう。このスキームは、ドナーｅＮＢハンドオーバプロシージャを実行することを必要とし、さらにＲＮ８０４（図８）がＤｅＮＢとしてサービスできるように構成されることを必要とするであろう。
【０１８８】
図１０を参照すると、この図は、幾つかの例示的実施態様による中継バックホールリンクの方法を概略的に示す。幾つかの実施態様では、図１０の方法の動作のうちの１または複数は、システム、例えばシステム１００（図１）、ノード、例えばノード１０２（図１）、ノード１０４（図１）、ノード１０６（図１）、および／またはノード１０８（図１）、ＤｅＮＢ、例えばＤｅＮＢ４０２（図４）、ＤｅＮＢ６０２（図６）、および／またはＤｅＮＢ８０２（図８）、ＲＮ、例えばＲＮ４０４（図４）、ＲＮ４０８（図４）、ＲＮ６０４（図６）、ＲＮ６０８（図６）、ＲＮ８０４（図８）、および／またはＲＮ８０８（図８）、および／またはコントローラ、例えばコントローラ３４０（図３）、の１または複数の要素によって実行され得る。
【０１８９】
ブロック１００２に示されているように、この方法は、第１ＲＮのためにｍｍＷａｖｅ周波数帯域を通じた第１ＲＮと第２ＲＮとの間のバックホールリンクを介してのダウンリンク割り当てをスケジューリングするためにクロスキャリアスケジューリング情報を含むＲ−ＰＤＣＣＨメッセージを生成することを含むことができる。例えば、このＲ−ＰＤＣＣＨメッセージは、クロスキャリアスケジューリングスキーム２００（図２）に従って第２ＲＮから第１ＲＮへのデータパケットの送信をスケジューリングするように構成され得る。
【０１９０】
ブロック１００４に示されているように、この方法は、Ｒ−ＰＤＣＣＨメッセージをＰＣｅｌｌのセルラ周波数帯域を通じて第１ＲＮに送信することを含むことができる。
【０１９１】
ブロック１００６に示されているように、Ｒ−ＰＤＣＣＨメッセージを生成することは、Ｒ−ＰＤＣＣＨメッセージをＤｅＮＢで生成することを含むことができる。例えば、ＤｅＮＢ４０２（図４）は、例えば上で記載されたように、Ｒ−ＰＤＣＣＨメッセージ４３０（図４）を生成してＰＣｅｌｌ４１０（図４）のセルラ周波数帯域を通じてＲＮ４０８（図４）に送信することができる。
【０１９２】
ブロック１００８に示されているように、Ｒ−ＰＤＣＣＨメッセージを生成することは、Ｒ−ＰＤＣＣＨメッセージを第２ＲＮで生成することを含むことができる。一例では、例えば上で記載されたように、ＲＮ６０４（図６）はＲ−ＰＤＣＣＨメッセージ６３０（図６）を生成して、ＰＣｅｌｌ６１０（図６）のセルラ周波数帯域を通じてＲＮ６０８（図６）に送信することができる。他の一例では、例えば上で記載されたように、ＲＮ８０４（図８）はＲ−ＰＤＣＣＨメッセージ８３０（図８）を生成して、ＰＣｅｌｌ８１０（図８）のセルラ周波数帯域を通じてＲＮ８０８（図８）に送信することができる。
【０１９３】
ブロック１０１０に示されているように、この方法は、Ｒ−ＰＤＣＣＨメッセージを第１ＲＮで受信することを含むことができる。例えば、上で記載されたように、ノード１０８（図１）は、例えばノード１０２（図１）から、またはノード１０４（図１）からＲ−ＰＤＣＣＨメッセージを受信して処理する、例えば復調しおよび／または復号する、ことができる。
【０１９４】
ブロック１０１２に示されているように、この方法は、Ｒ−ＰＤＣＣＨメッセージ内のクロスキャリアスケジューリング情報に基づいて、ｍｍＷａｖｅバックホールリンクを介してデータパケットを第２ＲＮから第１ＲＮに送信することを含むことができる。例えば、ノード１０４（図１）は、例えば上で記載されたように、バックホールリンク１１６（図１）を介してデータパケットをノード１０８（図１）に送信することができる。
【０１９５】
ブロック１０１４に示されているように、この方法は、Ｒ−ＰＤＣＣＨメッセージ内のクロスキャリアスケジューリング情報に基づいて、ｍｍＷａｖｅバックホールリンクを介して該データパケットを第１ＲＮで受信することを含むことができる。例えば、ノード１０８（図１）は、例えば上で記載されたように、Ｒ−ＰＤＣＣＨメッセージ内のクロスキャリアスケジューリング情報に基づいて、ｍｍＷａｖｅバックホールリンクを通じてノード１０４（図１）から該データパケットを受信するように動作することができる。
【０１９６】
図１１を参照すると、この図は、幾つかの例示的実施態様による、製造製品１１００を概略的に示す。製品１１００は、論理１１０４を記憶する非一時的機械可読記憶媒体１１０２を含むことができ、これは、例えば、ノード１０２（図１）、ノード１０４（図１）、ノード１０６（図１）、ノード１０８（図１）、ＤｅＮＢ４０２（図４）、ＤｅＮＢ６０２（図６）、ＤｅＮＢ８０２（図８）、ＲＮ４０４（図４）、ＲＮ４０８（図４）、ＲＮ６０４（図６）、ＲＮ６０８（図６）、ＲＮ８０４（図８）、ＲＮ８０８（図８）、コントローラ３４０（図３）、ｍｍＷａｖｅトランシーバ３３０（図３）、および／またはセルラＴＲｘ３０２（図３）の機能の少なくとも一部を実行し、および／または図５、７、９および／または１０を参照して上で論じられた１または複数の動作を実行するために使用され得る。 「非一時的機械可読媒体」という句は、一時的伝播信号を唯一の例外としてあらゆるコンピュータ可読媒体を含むように意図されている。
【０１９７】
幾つかの例示的実施態様においては、製品１１００および／または機械可読記憶媒体１１０２は、揮発性メモリ、不揮発性メモリ、取り外し可能なまたは取り外し不可能なメモリ、消去可能なまたは非消去可能なメモリ、書き込み可能なまたは再書き込み可能なメモリ、などを含む、データを記憶できる１または複数のタイプのコンピュータ可読記憶媒体を含むことができる。例えば、機械可読記憶媒体１１０２は、ＲＡＭ、ＤＲＡＭ、ダブルデータレートＤＲＡＭ（ＤＤＲ−ＤＲＡＭ：Ｄｏｕｂｌｅ−Ｄａｔａ−Ｒａｔｅ  ＤＲＡＭ）、ＳＤＲＡＭ、スタティックＲＡＭ（ＳＲＡＭ：ｓｔａｔｉｃ  ＲＡＭ）、ＲＯＭ、プログラマブルＲＯＭ（ＰＲＯＭ：ｐｒｏｇｒａｍｍａｂｌｅ  ＲＯＭ）、消去可能型プログラマブルＲＯＭ（ＥＰＲＯＭ：ｅｒａｓａｂｌｅ  ｐｒｏｇｒａｍｍａｂｌｅ  ＲＯＭ）、電気的に消去可能なプログラマブルＲＯＭ（ＥＥＰＲＯＭ：ｅｌｅｃｔｒｉｃａｌｌｙ  ｅｒａｓａｂｌｅ  ｐｒｏｇｒａｍｍａｂｌｅ  ＲＯＭ）、コンパクトディスクＲＯＭ（ＣＤ−ＲＯＭ：Ｃｏｍｐａｃｔ  Ｄｉｓｋ  ＲＯＭ）、コンパクトディスクレコーダブル（ＣＤ−Ｒ：Ｃｏｍｐａｃｔ  Ｄｉｓｋ  Ｒｅｃｏｒｄａｂｌｅ）、コンパクトディスクリライタブル（ＣＤ−ＲＷ：Ｃｏｍｐａｃｔ  Ｄｉｓｋ  Ｒｅｗｒｉｔｅａｂｌｅ）、フラッシュメモリ（例えば、ＮＯＲまたはＮＡＮＤフラッシュメモリ）、コンテンツアドレッサブルメモリ（ＣＡＭ：ｃｏｎｔｅｎｔ  ａｄｄｒｅｓｓａｂｌｅ  ｍｅｍｏｒｙ）、ポリマーメモリ、位相変化メモリ、強誘電体メモリ、シリコン−酸化物−窒化物−酸化物−シリコン（ＳＯＮＯＳ：ｓｉｌｉｃｏｎ−ｏｘｉｄｅ−ｎｉｔｒｉｄｅ−ｏｘｉｄｅ−ｓｉｌｉｃｏｎ）メモリ、ディスク、フロッピー（登録商標）ディスク、ハードディスク、光ディスク、磁気ディスク、カード、磁気カード、光カード、テープ、カセットなどを含むことができる。コンピュータ可読記憶媒体は、通信リンク、例えばモデム、無線もしくはネットワーク接続を通じて搬送波または他の伝播媒体において具体化されるデータ信号により担持されるコンピュータプログラムをリモートコンピュータから要求側コンピュータへダウンロードまたは転送することと関係する任意の適切な媒体を含むことができる。
【０１９８】
幾つかの例示的実施態様では、論理１１０４は、機械によって実行されるとその機械に方法、プロセスおよび／または動作を本明細書に記載されているように実行させることのできる命令、データ、および／またはコードを含むことができる。該機械は、例えば、任意の適切な処理プラットフォーム、コンピューティングプラットフォーム、コンピューティングデバイス、処理デバイス、コンピューティングシステム、処理システム、コンピュータ、プロセッサなどを含むことができ、ハードウェア、ソフトウェア、ファームウェアなどの任意の適切な組み合わせを用いて実装され得る。
【０１９９】
幾つかの例示的実施態様では、論理１１０４は、ソフトウェア、ソフトウェアモジュール、アプリケーション、プログラム、サブルーチン、命令、命令セット、計算コード、ワード、値、シンボルなどを含み、またはこれらとして実装され得る。命令は、ソースコード、コンパイルドコード、翻訳コード、実行可能コード、スタティックコード、ダイナミックコードなど、任意の適切なタイプのコードを含むことができる。命令は、一定の機能を実行するようにプロセッサに命令するために、定義済みコンピュータ言語、マナーまたはシンタックスに従って実行され得る。命令は、Ｃ、Ｃ＋＋、Ｊａｖａ（登録商標）、ＢＡＳＩＣ、Ｍａｔｌａｂ、Ｐａｓｃａｌ、Ｖｉｓｕａｌ  ＢＡＳＩＣ、アセンブリ言語、マシンコードなど、任意の適切なハイレベル、ローレベル、オブジェクト指向、ビジュアル、コンパイルドおよび／または翻訳プログラミング言語を用いて実行され得る。
【実施例】
【０２００】
以下の実施例はさらなる実施態様に関係する。
【０２０１】
実施例１は、プライマリセル（ＰＣｅｌｌ：Ｐｒｉｍａｒｙ  ｃｅｌｌ）のセルラ周波数帯域を通じてドナーエボルブドノードＢ（ＤｅＮＢ：Ｄｏｎｏｒ  ｅｖｏｌｖｅｄ  Ｎｏｄｅ  Ｂ）と通信するように構成されたセルラトランシーバ；ＰＣｅｌｌの中のセカンダリセカンダリセル（ＳＣｅｌｌ：Ｓｅｃｏｎｄａｒｙ  ｃｅｌｌ）のミリ波（ｍｍＷａｖｅ）周波数帯域を通じてバックホールリンクを介して第２ＲＮと通信するｍｍＷａｖｅトランシーバ；およびＰＣｅｌｌのセルラ周波数帯域を通じてセルラトランシーバにより受信された中継物理ダウンリンク制御チャネル（Ｒ−ＰＤＣＣＨ：Ｒｅｌａｙ−Ｐｈｙｓｉｃａｌ−Ｄｏｗｎｌｉｎｋ−Ｃｏｎｔｒｏｌ−Ｃｈａｎｎｅｌ）メッセージを処理するコントローラを含む第１中継ノード（ＲＮ：Ｒｅｌａｙ  Ｎｏｄｅ）を含み、このＲ−ＰＤＣＣＨメッセージは、バックホールリンクを通じたダウンリンク割り当てをスケジューリングするクロスキャリアスケジューリング情報を含み、コントローラは、そのダウンリンク割り当て中に第２ＲＮからダウンリンクデータパケットを受信するようにｍｍＷａｖｅトランシーバをトリガする。
【０２０２】
実施例２は、実施例１の主題を含み、任意に、セルラトランシーバはＲ−ＰＤＣＣＨメッセージをＤｅＮＢから受信する。
【０２０３】
実施例３は、実施例２の主題を含み、任意に、ダウンリンクデータパケットは第２ＲＮを介して中継されたＤｅＮＢからのデータパケットを含む。
【０２０４】
実施例４は実施例２または３の主題を含み、任意に、コントローラは、Ｒ−ＰＤＣＣＨメッセージと関連付けられた送信時間インターバル（ＴＴＩ：Ｔｒａｎｓｍｉｔ  Ｔｉｍｅ  Ｉｎｔｅｒｖａｌ）の間にバックホールリンクを介してダウンリンクデータパケットを受信するようにｍｍＷａｖｅトランシーバをトリガする。
【０２０５】
実施例５は実施例１の主題を含み、任意に、セルラトランシーバは第２ＲＮからＲ−ＰＤＣＣＨメッセージを受信する。
【０２０６】
実施例６は実施例５の主題を含み、任意に、Ｒ−ＰＤＣＣＨメッセージはセカンダリＲ−ＰＤＣＣＨメッセージを含み、セルラトランシーバは、セルラ周波数帯域における割り当てをスケジューリングするプライマリＲ−ＰＤＣＣＨメッセージをＤｅＮＢから受信する。
【０２０７】
実施例７は実施例６の主題を含み、任意に、コントローラは、ＤｅＮＢからの無線リソース制御（ＲＲＣ：Ｒａｄｉｏ  Ｒｅｓｏｕｒｃｅ  Ｃｏｎｔｒｏｌ）メッセージに従って、ＤｅＮＢに対してはプライマリＲ−ＰＤＣＣＨセットのセッティングを、および第２ＲＮに対してはセカンダリＲ−ＰＤＣＣＨセットのセッティングを、設定する。
【０２０８】
実施例８は実施例５の主題を含み、任意に、コントローラは、ＤｅＮＢからのハンドオーバ要求に基づいて第１ＲＮをＤｅＮＢから第２ＲＮへハンドオーバし、その第２ＲＮへのハンドオーバの後に第２ＲＮからＲ−ＰＤＣＣＨメッセージを受信する。
【０２０９】
実施例９は、実施例１〜８のうちのいずれか１つの主題を含み、任意に、１または複数のアンテナ、メモリおよびプロセッサを含む。
【０２１０】
実施例１０は、プライマリセル（ＰＣｅｌｌ：Ｐｒｉｍａｒｙ  ｃｅｌｌ）のセルラ周波数帯域を通じて第１中継ノード（ＲＮ：Ｒｅｌａｙ  Ｎｏｄｅ）および第２ＲＮと通信するように構成されたセルラトランシーバ；ミリ波（ｍｍＷａｖｅ）周波数帯域を通じて第１バックホールリンクを介して第２ＲＮと通信するｍｍＷａｖｅトランシーバ；および第１ＲＮと第２ＲＮとの間の第２バックホールリンクを通じたダウンリンク割り当てをスケジューリングするクロスキャリアスケジューリング情報を含む中継物理ダウンリンク制御チャネル（Ｒ−ＰＤＣＣＨ：Ｒｅｌａｙ−Ｐｈｙｓｉｃａｌ−Ｄｏｗｎｌｉｎｋ−Ｃｏｎｔｒｏｌ−Ｃｈａｎｎｅｌ）メッセージを第１ＲＮに送信するようにセルラトランシーバをトリガするコントローラを含むエボルブドノードＢ（ｅＮＢ：ｅｖｏｌｖｅｄ  Ｎｏｄｅ  Ｂ）を含む。
【０２１１】
実施例１１は実施例１０の主題を含み、任意に、コントローラは、第１送信時間インターバル（ＴＴＩ：Ｔｒａｎｓｍｉｔ  Ｔｉｍｅ  Ｉｎｔｅｒｖａｌ）の間に第１Ｒ−ＰＤＣＣＨメッセージを第２ＲＮに送信するようにセルラトランシーバをトリガし、この第１Ｒ−ＰＤＣＣＨメッセージは第１ＴＴＩの後の第２ＴＴＩの間の第２バックホールリンクを通じた第２ＲＮから第１ＲＮへのデータパケットのアップリンク送信をスケジューリングし、コントローラは第２ＴＴＩの間に第２Ｒ−ＰＤＣＣＨメッセージを第１ＲＮに送信するようにセルラトランシーバをトリガし、この第２Ｒ−ＰＤＣＣＨメッセージは、第２ＲＮからのデータパケットの第１ＲＮでのダウンリンク受信をスケジューリングする。
【０２１２】
実施例１２は実施例１０または１１の主題を含み、任意に、コントローラは、第２バックホールリンクを介して第１ＲＮへ中継されるべきデータパケットを第１バックホールリンクを介して第２ＲＮに送るようにｍｍＷａｖｅトランシーバをトリガする。
【０２１３】
実施例１３は実施例１２の主題を含み、任意に、コントローラは、データパケットが第２ＲＮによって送られるべき送信時間インターバル（ＴＴＩ：Ｔｒａｎｓｍｉｔ  Ｔｉｍｅ  Ｉｎｔｅｒｖａｌ）をスケジューリングするＲ−ＰＤＣＣＨを送信するようにセルラトランシーバをトリガする。
【０２１４】
実施例１４は実施例１０〜１３のうちのいずれか１つの主題を含み、任意に、第１ＲＮはＰＣｅｌｌのドナーｅＮＢ（ＤｅＮＢ：Ｄｏｎｏｒ  ｅＮＢ）として動作するように構成される。
【０２１５】
実施例１５は実施例１０〜１４のうちのいずれか１つの主題を含み、任意に、１または複数のアンテナ、メモリおよびプロセッサを含む。
【０２１６】
実施例１６は、プライマリセル（ＰＣｅｌｌ：Ｐｒｉｍａｒｙ  ｃｅｌｌ）のセルラ周波数帯域を通じて第１中継ノード（ＲＮ：Ｒｅｌａｙ  Ｎｏｄｅ）および第２ＲＮと通信するように構成されたセルラトランシーバ；ミリ波（ｍｍＷａｖｅ）周波数帯域を通じてバックホールリンクを介して第２ＲＮと通信するｍｍＷａｖｅトランシーバ；およびＤｅＮＢと第１ＲＮとの間でプライマリ中継物理ダウンリンク制御チャネル（Ｒ−ＰＤＣＣＨ：Ｒｅｌａｙ−Ｐｈｙｓｉｃａｌ−Ｄｏｗｎｌｉｎｋ−Ｃｏｎｔｒｏｌ−Ｃｈａｎｎｅｌ）メッセージを通信するプライマリＲ−ＰＤＣＣＨセット、および第２ＲＮと第１ＲＮとの間でセカンダリＲ−ＰＤＣＣＨメッセージを通信するセカンダリＲ−ＰＤＣＣＨセットを設定するコントローラを含むエボルブドノードＢ（ｅＮＢ：ｅｖｏｌｖｅｄ  Ｎｏｄｅ  Ｂ）を含み、このコントローラは、プライマリＲ−ＰＤＣＣＨセットおよびセカンダリＲ−ＰＤＣＣＨセットの設定情報を含むメッセージを第１ＲＮに送信するようにセルラトランシーバをトリガする。
【０２１７】
実施例１７は実施例１６の主題を含み、任意に、メッセージは無線リソース制御（ＲＲＣ：Ｒａｄｉｏ  Ｒｅｓｏｕｒｃｅ  Ｃｏｎｔｒｏｌ）メッセージを含む。
【０２１８】
実施例１８は実施例１６または１７の主題を含み、任意に、コントローラは、第１ＲＮに中継されるべきデータパケットをバックホールリンクを介して第２ＲＮに送るようにｍｍＷａｖｅトランシーバをトリガする。
【０２１９】
実施例１９は実施例１６〜１８のうちのいずれか１つの主題を含み、任意に、ｅＮＢはＰＣｅｌｌのドナーｅＮＢ（ＤｅＮＢ：Ｄｏｎｏｒ  ｅＮＢ）として動作するように構成される。
【０２２０】
実施例２０は実施例１６〜１９のうちのいずれか１つの主題を含み、任意に、１または複数のアンテナ、メモリおよびプロセッサを含む。
【０２２１】
実施例２１は、プライマリセル（ＰＣｅｌｌ：Ｐｒｉｍａｒｙ  ｃｅｌｌ）のセルラ周波数帯域を通じて第１中継ノード（ＲＮ：Ｒｅｌａｙ  Ｎｏｄｅ）および第２ＲＮと通信するように構成されたセルラトランシーバ；ミリ波（ｍｍＷａｖｅ）周波数帯域を通じてバックホールリンクを介して第２ＲＮと通信するｍｍＷａｖｅトランシーバ；および、第１ＲＮを第２ＲＮにハンドオーバするハンドオーバ要求を第２ＲＮに送信するようにセルラトランシーバをトリガし、第２ＲＮにアタッチするアタッチ要求を第１ＲＮに送信するようにセルラトランシーバをトリガし、第１ＲＮに中継されるべきデータパケットをバックホールリンクを介して第２ＲＮに送信するようにｍｍＷａｖｅトランシーバをトリガするコントローラを含むエボルブドノードＢ（ｅＮＢ：ｅｖｏｌｖｅｄ  Ｎｏｄｅ  Ｂ）を含む。
【０２２２】
実施例２２は実施例２１の主題を含み、任意に、ハンドオーバ要求メッセージおよびアタッチ要求メッセージは無線リソース制御（ＲＲＣ：Ｒａｄｉｏ  Ｒｅｓｏｕｒｃｅ  Ｃｏｎｔｒｏｌ）メッセージを含む。
【０２２３】
実施例２３は実施例２１または２２のうちのいずれか１つの主題を含み、任意に、ｅＮＢはＰＣｅｌｌのドナーｅＮＢ（ＤｅＮＢ：Ｄｏｎｏｒ  ｅＮＢ）として動作するように構成される。
【０２２４】
実施例２４は実施例２１〜２３のうちのいずれか１つの主題を含み、任意に、１または複数のアンテナ、メモリおよびセンサを含む。
【０２２５】
実施例２５は、第１中継ノード（ＲＮ：Ｒｅｌａｙ  Ｎｏｄｅ）に、プライマリセル（ＰＣｅｌｌ：Ｐｒｉｍａｒｙ  ｃｅｌｌ）のセルラ周波数帯域を通じてドナーエボルブドノードＢ（ＤｅＮＢ：Ｄｏｎｏｒ  ｅｖｏｌｖｅｄ  Ｎｏｄｅ  Ｂ）と通信させ；ＰＣｅｌｌ内のセカンダリセカンダリセル（ＳＣｅｌｌ：Ｓｅｃｏｎｄａｒｙ  ｃｅｌｌ）のミリ波（ｍｍＷａｖｅ）周波数帯域を通じてバックホールリンクを介して第２ＲＮと通信させ；ＰＣｅｌｌのセルラ周波数帯域を通じて受信された、バックホールリンクを通じたダウンリンク割り当てをスケジューリングするクロスキャリアスケジューリング情報を含む中継物理ダウンリンク制御チャネル（Ｒ−ＰＤＣＣＨ：Ｒｅｌａｙ−Ｐｈｙｓｉｃａｌ−Ｄｏｗｎｌｉｎｋ−Ｃｏｎｔｒｏｌ−Ｃｈａｎｎｅｌ）メッセージを処理させ；そのダウンリンク割り当て中に第２ＲＮからダウンリンクデータパケットを受信させるように構成された回路を含む装置を含む。
【０２２６】
実施例２６は実施例２５の主題を含み、任意に、該装置は第１ＲＮにＲ−ＰＤＣＣＨメッセージをＤｅＮＢから受信させるように構成される。
【０２２７】
実施例２７は実施例２６の主題を含み、任意に、ダウンリンクデータパケットは、第２ＲＮを介して中継されるＤｅＮＢからのデータパケットを含む。
【０２２８】
実施例２８は実施例２６または２７の主題を含み、任意に、該装置は、第１ＲＮに、Ｒ−ＰＤＣＣＨメッセージと関連付けられた送信時間インターバル（ＴＴＩ：Ｔｒａｎｓｍｉｔ  Ｔｉｍｅ  Ｉｎｔｅｒｖａｌ）の間にバックホールリンクを介してダウンリンクデータパケットを受信させるように構成される。
【０２２９】
実施例２９は実施例２５の主題を含み、任意に、該装置は、第１ＲＮに第２ＲＮからＲ−ＰＤＣＣＨメッセージを受信させるように構成される。
【０２３０】
実施例３０は実施例２９の主題を含み、任意に、Ｒ−ＰＤＣＣＨメッセージはセカンダリＲ−ＰＤＣＣＨメッセージを含み、該装置は、第１ＲＮに、セルラ周波数帯域での割り当てをスケジューリングするプライマリＲ−ＰＤＣＣＨメッセージをＤｅＮＢから受信させるように構成される。
【０２３１】
実施例３１は実施例３０の主題を含み、任意に、該装置は、第１ＲＮに、ＤｅＮＢからの無線リソース制御（ＲＲＣ：Ｒａｄｉｏ  Ｒｅｓｏｕｒｃｅ  Ｃｏｎｔｒｏｌ）メッセージに従ってＤｅＮＢに対してはプライマリＲ−ＰＤＣＣＨセットのセッティングを、第２ＲＮに対してはセカンダリＲ−ＰＤＣＣＨセットのセッティングを、設定させるように構成される。
【０２３２】
実施例３２は実施例２９の主題を含み、任意に、該装置は、第１ＲＮに、ＤｅＮＢからのハンドオーバ要求に基づいて第１ＲＮをＤｅＮＢから第２ＲＮへハンドオーバさせるとともに第２ＲＮへのハンドオーバ後に第２ＲＮからＲ−ＰＤＣＣＨメッセージを受信させるように構成される。
【０２３３】
実施例３３は実施例２５〜３２のうちのいずれか１つの主題を含み、任意に、セルラトランシーバ、およびｍｍＷａｖｅトランシーバを含む。
【０２３４】
実施例３４は、エボルブドノードＢ（ｅＮＢ：ｅｖｏｌｖｅｄ  Ｎｏｄｅ  Ｂ）に、プライマリセル（ＰＣｅｌｌ：Ｐｒｉｍａｒｙ  ｃｅｌｌ）のセルラ周波数帯域を通じて第１中継ノード（ＲＮ：Ｒｅｌａｙ  Ｎｏｄｅ）および第２ＲＮと通信させ；ミリ波（ｍｍＷａｖｅ）周波数帯域を通じて第１バックホールリンクを介して第２ＲＮと通信させ；第１ＲＮと第２ＲＮとの間の第２バックホールリンクを通じたダウンリンク割り当てをスケジューリングするクロスキャリアスケジューリング情報を含む中継物理ダウンリンク制御チャネル（Ｒ−ＰＤＣＣＨ：Ｒｅｌａｙ−Ｐｈｙｓｉｃａｌ−Ｄｏｗｎｌｉｎｋ−Ｃｏｎｔｒｏｌ−Ｃｈａｎｎｅｌ）メッセージを第１ＲＮへ送信させるように構成された回路を含む装置を含む。
【０２３５】
実施例３５は実施例３４の主題を含み、任意に、該装置は、ｅＮＢに、第１送信時間インターバル（ＴＴＩ：Ｔｒａｎｓｍｉｔ  Ｔｉｍｅ  Ｉｎｔｅｒｖａｌ）の間に、この第１ＴＴＩ後の第２ＴＴＩ中の第２バックホールリンクを通じた第２ＲＮから第１ＲＮへのデータパケットのアップリンク送信をスケジューリングする第１Ｒ−ＰＤＣＣＨメッセージを第２ＲＮへ送信させるとともに、第２ＴＴＩの間に、第２ＲＮからのデータパケットの第１ＲＮでのダウンリンク受信をスケジューリングする第２Ｒ−ＰＤＣＣＨメッセージを第１ＲＮへ送信させるように構成される。
【０２３６】
実施例３６は実施例３４または３５の主題を含み、任意に、該装置は、ｅＮＢに、第２バックホールリンクを介して第１ＲＮに中継されるべきデータパケットを第１バックホールリンクを介して第２ＲＮへ送らせるように構成される。
【０２３７】
実施例３７は実施例３６の主題を含み、該装置は、ｅＮＢに、データパケットが第２ＲＮによって送られるべき送信時間インターバル（ＴＴＩ：Ｔｒａｎｓｍｉｔ  Ｔｉｍｅ  Ｉｎｔｅｒｖａｌ）をスケジューリングするＲ−ＰＤＣＣＨを送信させるように構成される。
【０２３８】
実施例３８は実施例３４〜３７のうちのいずれか１つの主題を含み、任意に、該装置は、ｅＮＢに、ＰＣｅｌｌのドナーｅＮＢ（ＤｅＮＢ：Ｄｏｎｏｒ  ｅＮＢ）として動作させるように構成される。
【０２３９】
実施例３９は実施例３４〜３８のうちのいずれか１つの主題を含み、任意に、セルラトランシーバ、およびｍｍＷａｖｅトランシーバを含む。
【０２４０】
実施例４０は、エボルブドノードＢ（ｅＮＢ：ｅｖｏｌｖｅｄ  Ｎｏｄｅ  Ｂ）に、プライマリセル（ＰＣｅｌｌ：Ｐｒｉｍａｒｙ  ｃｅｌｌ）のセルラ周波数帯域を通じて第１中継ノード（ＲＮ：Ｒｅｌａｙ  Ｎｏｄｅ）および第２ＲＮと通信させ；ミリ波（ｍｍＷａｖｅ）周波数帯域を通じてバックホールリンクを介して第２ＲＮと通信させ；ＤｅＮＢと第１ＲＮとの間でプライマリ中継物理ダウンリンク制御チャネル（Ｒ−ＰＤＣＣＨ：Ｒｅｌａｙ−Ｐｈｙｓｉｃａｌ−Ｄｏｗｎｌｉｎｋ−Ｃｏｎｔｒｏｌ−Ｃｈａｎｎｅｌ）メッセージを通信するプライマリＲ−ＰＤＣＣＨセット、および、第２ＲＮと第１ＲＮとの間でセカンダリＲ−ＰＤＣＣＨメッセージを通信するセカンダリＲ−ＰＤＣＣＨセットを設定させ；プライマリＲ−ＰＤＣＣＨセットおよびセカンダリＲ−ＰＤＣＣＨセットの設定情報を含むメッセージを第１ＲＮへ送信させるように構成された回路を含む装置を含む。
【０２４１】
実施例４１は実施例４０の主題を含み、任意に、メッセージは無線リソース制御（ＲＲＣ：Ｒａｄｉｏ  Ｒｅｓｏｕｒｃｅ  Ｃｏｎｔｒｏｌ）メッセージを含む。
【０２４２】
実施例４２は実施例４０または４１の主題を含み、任意に、該装置は、ｅＮＢに、第１ＲＮへ中継されるべきデータパケットをバックホールリンクを介して第２ＲＮへ送らせるように構成される。
【０２４３】
実施例４３は実施例４０〜４２のうちのいずれか１つの主題を含み、任意に、該装置は、ｅＮＢに、ＰＣｅｌｌのドナーｅＮＢ（ＤｅＮＢ：Ｄｏｎｏｒ  ｅＮＢ）として動作させるように構成される。
【０２４４】
実施例４４は実施例４０〜４３のうちのいずれか１つの主題を含み、任意に、セルラトランシーバ、およびｍｍＷａｖｅトランシーバを含む。
【０２４５】
実施例４５は、エボルブドノードＢ（ｅＮＢ：ｅｖｏｌｖｅｄ  Ｎｏｄｅ  Ｂ）に、プライマリセル（ＰＣｅｌｌ：Ｐｒｉｍａｒｙ  ｃｅｌｌ）のセルラ周波数帯域を通じて第１中継ノード（ＲＮ：Ｒｅｌａｙ  Ｎｏｄｅ）および第２ＲＮと通信させ；ミリ波（ｍｍＷａｖｅ）周波数帯域を通じてバックホールリンクを介して第２ＲＮと通信させ；第１ＲＮを第２ＲＮにハンドオーバするハンドオーバ要求を第２ＲＮへ送信させ；第２ＲＮにアタッチするアタッチ要求を第１ＲＮへ送信させ；第１ＲＮに中継されるべきデータパケットをバックホールリンクを介して第２ＲＮへ送信させるように構成された回路を含む装置を含む。
【０２４６】
実施例４６は実施例４５の主題を含み、任意に、ハンドオーバ要求メッセージおよびアタッチ要求メッセージは無線リソース制御（ＲＲＣ：Ｒａｄｉｏ  Ｒｅｓｏｕｒｃｅ  Ｃｏｎｔｒｏｌ）メッセージを含む。
【０２４７】
実施例４７は実施例４５または４６のうちのいずれか１つの主題を含み、任意に、該装置は、ｅＮＢに、ＰＣｅｌｌのドナーｅＮＢ（ＤｅＮＢ：Ｄｏｎｏｒ  ｅＮＢ）として動作させるように構成される。
【０２４８】
実施例４８は実施例４５〜４７のうちのいずれか１つの主題を含み、任意に、セルラトランシーバ、およびｍｍＷａｖｅトランシーバを含む。
【０２４９】
実施例４９は第１中継ノード（ＲＮ：Ｒｅｌａｙ  Ｎｏｄｅ）で実行されるべき方法を含み、この方法は、プライマリセル（ＰＣｅｌｌ：Ｐｒｉｍａｒｙ  ｃｅｌｌ）のセルラ周波数帯域を通じてドナーエボルブドノードＢ（ＤｅＮＢ：Ｄｏｎｏｒ  ｅｖｏｌｖｅｄ  Ｎｏｄｅ  Ｂ）と通信すること；ＰＣｅｌｌ内のセカンダリセカンダリセル（ＳＣｅｌｌ：Ｓｅｃｏｎｄａｒｙ  ｃｅｌｌ）のミリ波（ｍｍＷａｖｅ）周波数帯域を通じてバックホールリンクを介して第２ＲＮと通信すること；ＰＣｅｌｌのセルラ周波数帯域を通じて受信された、バックホールリンクを通じたダウンリンク割り当てをスケジューリングするクロスキャリアスケジューリング情報を含む中継物理ダウンリンク制御チャネル（Ｒ−ＰＤＣＣＨ：Ｒｅｌａｙ−Ｐｈｙｓｉｃａｌ−Ｄｏｗｎｌｉｎｋ−Ｃｏｎｔｒｏｌ−Ｃｈａｎｎｅｌ）メッセージを処理すること；および、そのダウンリンク割り当て中に第２ＲＮからダウンリンクデータパケットを受信すること、を含む。
【０２５０】
実施例５０は実施例４９の主題を含み、任意に、Ｒ−ＰＤＣＣＨメッセージをＤｅＮＢから受信することを含む。
【０２５１】
実施例５１は実施例５０の主題を含み、任意に、ダウンリンクデータパケットは、第２ＲＮを介して中継されたＤｅＮＢからのデータパケットを含む。
【０２５２】
実施例５２は実施例４９または５０の主題を含み、任意に、Ｒ−ＰＤＣＣＨメッセージと関連付けられた送信時間インターバル（ＴＴＩ：Ｔｒａｎｓｍｉｔ  Ｔｉｍｅ  Ｉｎｔｅｒｖａｌ）の間にバックホールリンクを介してダウンリンクデータパケットを受信することを含む。
【０２５３】
実施例５３は実施例４９の主題を含み、任意に、Ｒ−ＰＤＣＣＨメッセージを第２ＲＮから受信することを含む。
【０２５４】
実施例５４は実施例５３の主題を含み、任意に、Ｒ−ＰＤＣＣＨメッセージはセカンダリＲ−ＰＤＣＣＨメッセージを含み、該方法は、セルラ周波数帯域を通じた割り当てをスケジューリングするプライマリＲ−ＰＤＣＣＨメッセージをＤｅＮＢから受信することを含む。
【０２５５】
実施例５５は実施例５４の主題を含み、任意に、ＤｅＮＢからの無線リソース制御（ＲＲＣ：Ｒａｄｉｏ  Ｒｅｓｏｕｒｃｅ  Ｃｏｎｔｒｏｌ）メッセージに従って、ＤｅＮＢに対してはプライマリＲ−ＰＤＣＣＨセットのセッティングを、および第２ＲＮに対してはセカンダリＲ−ＰＤＣＣＨセットのセッティングを、設定することを含む。
【０２５６】
実施例５６は実施例５３の主題を含み、任意に、ＤｅＮＢからのハンドオーバ要求に基づいて第１ＲＮをＤｅＮＢから第２ＲＮへハンドオーバすること、および、その第２ＲＮへのハンドオーバの後に第２ＲＮからＲ−ＰＤＣＣＨメッセージを受信することを含む。
【０２５７】
実施例５７はエボルブドノードＢ（ｅＮＢ：ｅｖｏｌｖｅｄ  Ｎｏｄｅ  Ｂ）で実行されるべき方法を含み、この方法は、プライマリセル（ＰＣｅｌｌ：Ｐｒｉｍａｒｙ  ｃｅｌｌ）のセルラ周波数帯域を通じて第１中継ノード（ＲＮ：Ｒｅｌａｙ  Ｎｏｄｅ）および第２ＲＮと通信すること；ミリ波（ｍｍＷａｖｅ）周波数帯域を通じて第１バックホールリンクを介して第２ＲＮと通信すること；および、第１ＲＮと第２ＲＮとの間の第２バックホールリンクを通じたダウンリンク割り当てをスケジューリングするクロスキャリアスケジューリング情報を含む中継物理ダウンリンク制御チャネル（Ｒ−ＰＤＣＣＨ：Ｒｅｌａｙ−Ｐｈｙｓｉｃａｌ−Ｄｏｗｎｌｉｎｋ−Ｃｏｎｔｒｏｌ−Ｃｈａｎｎｅｌ）メッセージを第１ＲＮへ送信すること、を含む。
【０２５８】
実施例５８は実施例５７の主題を含み、任意に、第１送信時間インターバル（ＴＴＩ：Ｔｒａｎｓｍｉｔ  Ｔｉｍｅ  Ｉｎｔｅｒｖａｌ）の間に、第１ＴＴＩの後の第２ＴＴＩの間の第２バックホールリンクを通じた第２ＲＮから第１ＲＮへのデータパケットのアップリンク送信をスケジューリングする第１Ｒ−ＰＤＣＣＨメッセージを第２ＲＮへ送信すること、および、第２ＴＴＩの間に、第１ＲＮでの第２ＲＮからのデータパケットのダウンリンク受信をスケジューリングする第２Ｒ−ＰＤＣＣＨメッセージを第１ＲＮへ送信すること、を含む。
【０２５９】
実施例５９は実施例５７または５８の主題を含み、任意に、第２バックホールリンクを介して第１ＲＮへ中継されるべきデータパケットを第１バックホールリンクを介して第２ＲＮに送ることを含む。
【０２６０】
実施例６０は実施例５９の主題を含み、任意に、データパケットが第２ＲＮによって送られるべき送信時間インターバル（ＴＴＩ：Ｔｒａｎｓｍｉｔ  Ｔｉｍｅ  Ｉｎｔｅｒｖａｌ）をスケジューリングするＲ−ＰＤＣＣＨを送信することを含む。
【０２６１】
実施例６１は実施例５７〜６０のうちのいずれか１つの主題を含み、任意に、ｅＮＢをＰＣｅｌｌのドナーｅＮＢ（ＤｅＮＢ：Ｄｏｎｏｒ  ｅＮＢ）として動作させることを含む。
【０２６２】
実施例６２はエボルブドノードＢ（ｅＮＢ：ｅｖｏｌｖｅｄ  Ｎｏｄｅ  Ｂ）において実行されるべき方法を含み、この方法は、プライマリセル（ＰＣｅｌｌ：Ｐｒｉｍａｒｙ  ｃｅｌｌ）のセルラ周波数帯域を通じて第１中継ノード（ＲＮ：Ｒｅｌａｙ  Ｎｏｄｅ）および第２ＲＮと通信すること；ミリ波（ｍｍＷａｖｅ）周波数帯域を通じてバックホールリンクを介して第２ＲＮと通信すること；ＤｅＮＢと第１ＲＮとの間でプライマリ中継物理ダウンリンク制御チャネル（Ｒ−ＰＤＣＣＨ：Ｒｅｌａｙ−Ｐｈｙｓｉｃａｌ−Ｄｏｗｎｌｉｎｋ−Ｃｏｎｔｒｏｌ−Ｃｈａｎｎｅｌ）メッセージを通信するプライマリＲ−ＰＤＣＣＨセット、および、第２ＲＮと第１ＲＮとの間でセカンダリＲ−ＰＤＣＣＨメッセージを通信するセカンダリＲ−ＰＤＣＣＨセットを設定すること；および、プライマリＲ−ＰＤＣＣＨセットおよびセカンダリＲ−ＰＤＣＣＨセットの設定情報を含むメッセージを第１ＲＮに送信すること、を含む。
【０２６３】
実施例６３は実施例６２の主題を含み、任意に、メッセージは無線リソース制御（ＲＲＣ：Ｒａｄｉｏ  Ｒｅｓｏｕｒｃｅ  Ｃｏｎｔｒｏｌ）メッセージを含む。
【０２６４】
実施例６４は実施例６２または６３の主題を含み、任意に、第１ＲＮへ中継されるべきデータパケットをバックホールリンクを介して第２ＲＮに送ることを含む。
【０２６５】
実施例６５は実施例６２〜６４のうちのいずれか１つの主題を含み、任意に、ｅＮＢをＰＣｅｌｌのドナーｅＮＢ（ＤｅＮＢ：Ｄｏｎｏｒ  ｅＮＢ）として動作させることを含む。
【０２６６】
実施例６６はエボルブドノードＢ（ｅＮＢ：ｅｖｏｌｖｅｄ  Ｎｏｄｅ  Ｂ）において実行されるべき方法を含み、この方法は、プライマリセル（ＰＣｅｌｌ：Ｐｒｉｍａｒｙ  ｃｅｌｌ）のセルラ周波数帯域を通じて第１中継ノード（ＲＮ：Ｒｅｌａｙ  Ｎｏｄｅ）および第２ＲＮと通信すること；ミリ波（ｍｍＷａｖｅ）周波数帯域を通じてバックホールリンクを介して第２ＲＮと通信すること；第１ＲＮを第２ＲＮにハンドオーバするハンドオーバ要求を第２ＲＮに送信すること；第２ＲＮにアタッチするアタッチ要求を第１ＲＮに送信すること；および、第１ＲＮへ中継されるべきデータパケットをバックホールリンクを介して第２ＲＮに送信すること、を含む。
【０２６７】
実施例６７は実施例６６の主題を含み、任意に、ハンドオーバ要求メッセージおよびアタッチ要求メッセージは無線リソース制御（ＲＲＣ：Ｒａｄｉｏ  Ｒｅｓｏｕｒｃｅ  Ｃｏｎｔｒｏｌ）メッセージを含む。
【０２６８】
実施例６８は実施例６６または６７のうちのいずれか１つの主題を含み、任意に、ｅＮＢをＰＣｅｌｌのドナーｅＮＢ（ＤｅＮＢ：Ｄｏｎｏｒ  ｅＮＢ）として動作させることを含む。
【０２６９】
実施例６９は、少なくとも１つのコンピュータプロセッサによって実行されたときに、その少なくとも１つのコンピュータプロセッサが１または複数の動作を第１中継ノード（ＲＮ：Ｒｅｌａｙ  Ｎｏｄｅ）において実行することを可能にするように働くことのできるコンピュータ実行可能な命令を含む１または複数の有形のコンピュータ可読非一時的記憶媒体を含む製品を含み、該動作は、プライマリセル（ＰＣｅｌｌ：Ｐｒｉｍａｒｙ  ｃｅｌｌ）のセルラ周波数帯域を通じてドナーエボルブドノードＢ（ＤｅＮＢ：Ｄｏｎｏｒ  ｅｖｏｌｖｅｄ  Ｎｏｄｅ  Ｂ）と通信すること；ＰＣｅｌｌ内のセカンダリセカンダリセル（ＳＣｅｌｌ：Ｓｅｃｏｎｄａｒｙ  ｃｅｌｌ）のミリ波（ｍｍＷａｖｅ）周波数帯域を通じてバックホールリンクを介して第２ＲＮと通信すること；ＰＣｅｌｌのセルラ周波数帯域を通じて受信された、バックホールリンクを通じたダウンリンク割り当てをスケジューリングするクロスキャリアスケジューリング情報を含む中継物理ダウンリンク制御チャネル（Ｒ−ＰＤＣＣＨ：Ｒｅｌａｙ−Ｐｈｙｓｉｃａｌ−Ｄｏｗｎｌｉｎｋ−Ｃｏｎｔｒｏｌ−Ｃｈａｎｎｅｌ）メッセージを処理すること；および、そのダウンリンク割り当て中に第２ＲＮからダウンリンクデータパケットを受信すること、を含む。
【０２７０】
実施例７０は実施例６９の主題を含み、任意に、該動作はＤｅＮＢからＲ−ＰＤＣＣＨメッセージを受信することを含む。
【０２７１】
実施例７１は実施例７０の主題を含み、任意に、ダウンリンクデータパケットは、第２ＲＮを介して中継されたＤｅＮＢからのデータパケットを含む。
【０２７２】
実施例７２は実施例６９または７０の主題を含み、任意に、該動作は、Ｒ−ＰＤＣＣＨメッセージと関連付けられた送信時間インターバル（ＴＴＩ：Ｔｒａｎｓｍｉｔ  Ｔｉｍｅ  Ｉｎｔｅｒｖａｌ）の間にバックホールリンクを介してダウンリンクデータパケットを受信することを含む。
【０２７３】
実施例７３は実施例６９の主題を含み、任意に、該動作は、Ｒ−ＰＤＣＣＨメッセージを第２ＲＮから受信することを含む。
【０２７４】
実施例７４は実施例７３の主題を含み、任意に、Ｒ−ＰＤＣＣＨメッセージはセカンダリＲ−ＰＤＣＣＨメッセージを含み、該動作は、セルラ周波数帯域を通じた割り当てをスケジューリングするプライマリＲ−ＰＤＣＣＨメッセージをＤｅＮＢから受信することを含む。
【０２７５】
実施例７５は実施例７４の主題を含み、任意に、該動作は、ＤｅＮＢからの無線リソース制御（ＲＲＣ：Ｒａｄｉｏ  Ｒｅｓｏｕｒｃｅ  Ｃｏｎｔｒｏｌ）メッセージに従って、ＤｅＮＢに対してはプライマリＲ−ＰＤＣＣＨセットのセッティングを、第２ＲＮに対してはセカンダリＲ−ＰＤＣＣＨセットのセッティングを、設定することを含む。
【０２７６】
実施例７６は実施例７３の主題を含み、任意に、該動作は、ＤｅＮＢからのハンドオーバ要求に基づいて第１ＲＮをＤｅＮＢから第２ＲＮへハンドオーバすること、および、その第２ＲＮへのハンドオーバの後に第２ＲＮからＲ−ＰＤＣＣＨメッセージを受信することを含む。
【０２７７】
実施例７７は、少なくとも１つのコンピュータプロセッサによって実行されたときに、その少なくとも１つのコンピュータプロセッサが１または複数の動作をエボルブドノードＢ（ｅＮＢ：ｅｖｏｌｖｅｄ  Ｎｏｄｅ  Ｂ）において実行することを可能にするように働くことのできるコンピュータ実行可能な命令を含む１または複数の有形のコンピュータ可読非一時的記憶媒体を含む製品を含み、該動作は、プライマリセル（ＰＣｅｌｌ：Ｐｒｉｍａｒｙ  ｃｅｌｌ）のセルラ周波数帯域を通じて第１中継ノード（ＲＮ：Ｒｅｌａｙ  Ｎｏｄｅ）および第２ＲＮと通信すること；ミリ波（ｍｍＷａｖｅ）周波数帯域を通じて第１バックホールリンクを介して第２ＲＮと通信すること；および、第１ＲＮと第２ＲＮとの間の第２バックホールリンクを通じたダウンリンク割り当てをスケジューリングするクロスキャリアスケジューリング情報を含む中継物理ダウンリンク制御チャネル（Ｒ−ＰＤＣＣＨ：Ｒｅｌａｙ−Ｐｈｙｓｉｃａｌ−Ｄｏｗｎｌｉｎｋ−Ｃｏｎｔｒｏｌ−Ｃｈａｎｎｅｌ）メッセージを第１ＲＮに送信すること、を含む。
【０２７８】
実施例７８は実施例７７の主題を含み、任意に、該動作は、第１送信時間インターバル（ＴＴＩ：Ｔｒａｎｓｍｉｔ  Ｔｉｍｅ  Ｉｎｔｅｒｖａｌ）の間に、第１ＴＴＩの後の第２ＴＴＩの間の第２バックホールリンクを通じた第２ＲＮから第１ＲＮへのデータパケットのアップリンク送信をスケジューリングする第１Ｒ−ＰＤＣＣＨメッセージを第２ＲＮに送信すること、および、第２ＴＴＩの間に、第１ＲＮでの第２ＲＮからのデータパケットのダウンリンク受信をスケジューリングする第２Ｒ−ＰＤＣＣＨメッセージを第１ＲＮに送信すること、を含む。
【０２７９】
実施例７９は実施例７７または７８の主題を含み、任意に、該動作は、第２バックホールリンクを介して第１ＲＮに中継されるべきデータパケットを第１バックホールリンクを介して第２ＲＮに送ることを含む。
【０２８０】
実施例８０は実施例７９の主題を含み、任意に、該動作は、第２ＲＮによってデータパケットが送られるべき送信時間インターバル（ＴＴＩ：Ｔｒａｎｓｍｉｔ  Ｔｉｍｅ  Ｉｎｔｅｒｖａｌ）をスケジューリングするＲ−ＰＤＣＣＨを送信することを含む。
【０２８１】
実施例８１は実施例７７〜８０のうちのいずれか１つの主題を含み、任意に、該動作は、ｅＮＢをＰＣｅｌｌのドナーｅＮＢ（ＤｅＮＢ：Ｄｏｎｏｒ  ｅＮＢ）として動作させることを含む。
【０２８２】
実施例８２は、少なくとも１つのコンピュータプロセッサによって実行されたときに、その少なくとも１つのコンピュータプロセッサが１または複数の動作をエボルブドノードＢ（ｅＮＢ：ｅｖｏｌｖｅｄ  Ｎｏｄｅ  Ｂ）において実行することを可能にするように働くことのできるコンピュータ実行可能な命令を含む１または複数の有形のコンピュータ可読非一時的記憶媒体を含む製品を含み、該動作は、プライマリセル（ＰＣｅｌｌ：Ｐｒｉｍａｒｙ  ｃｅｌｌ）のセルラ周波数帯域を通じて第１中継ノード（ＲＮ：Ｒｅｌａｙ  Ｎｏｄｅ）および第２ＲＮと通信すること；ミリ波（ｍｍＷａｖｅ）周波数帯域を通じてバックホールリンクを介して第２ＲＮと通信すること；ＤｅＮＢと第１ＲＮとの間でプライマリ中継物理ダウンリンク制御チャネル（Ｒ−ＰＤＣＣＨ：Ｒｅｌａｙ−Ｐｈｙｓｉｃａｌ−Ｄｏｗｎｌｉｎｋ−Ｃｏｎｔｒｏｌ−Ｃｈａｎｎｅｌ）メッセージを通信するプライマリＲ−ＰＤＣＣＨセット、および第２ＲＮと第１ＲＮとの間でセカンダリＲ−ＰＤＣＣＨメッセージを通信するセカンダリＲ−ＰＤＣＣＨセットを設定すること；および、プライマリＲ−ＰＤＣＣＨセットおよびセカンダリＲ−ＰＤＣＣＨセットの設定情報を含むメッセージを第１ＲＮに送信すること、を含む。
【０２８３】
実施例８３は実施例８２の主題を含み、任意に、メッセージは無線リソース制御（ＲＲＣ：Ｒａｄｉｏ  Ｒｅｓｏｕｒｃｅ  Ｃｏｎｔｒｏｌ）メッセージを含む。
【０２８４】
実施例８４は実施例８２または８３の主題を含み、任意に、該動作は、第１ＲＮへ中継されるべきデータパケットをバックホールリンクを介して第２ＲＮに送信することを含む。
【０２８５】
実施例８５は実施例８２〜８４のうちのいずれか１つの主題を含み、任意に、該動作は、ｅＮＢをＰＣｅｌｌのドナーｅＮＢ（ＤｅＮＢ：Ｄｏｎｏｒ  ｅＮＢ）として動作させることを含む。
【０２８６】
実施例８６は、少なくとも１つのコンピュータプロセッサによって実行されたときに、その少なくとも１つのコンピュータプロセッサが１または複数の動作をエボルブドノードＢ（ｅＮＢ：ｅｖｏｌｖｅｄ  Ｎｏｄｅ  Ｂ）において実行することを可能にするように働くことのできるコンピュータ実行可能な命令を含む１または複数の有形のコンピュータ可読非一時的記憶媒体を含む製品を含み、該動作は、プライマリセル（ＰＣｅｌｌ：Ｐｒｉｍａｒｙ  ｃｅｌｌ）のセルラ周波数帯域を通じて第１中継ノード（ＲＮ：Ｒｅｌａｙ  Ｎｏｄｅ）および第２ＲＮと通信すること；ミリ波（ｍｍＷａｖｅ）周波数帯域を通じてバックホールリンクを介して第２ＲＮと通信すること；第１ＲＮを第２ＲＮにハンドオーバするハンドオーバ要求を第２ＲＮに送信すること；第２ＲＮにアタッチするアタッチ要求を第１ＲＮに送信すること；および、第１ＲＮに中継されるべきデータパケットをバックホールリンクを介して第２ＲＮに送信すること、を含む。
【０２８７】
実施例８７は実施例８６の主題を含み、任意に、ハンドオーバ要求メッセージおよびアタッチ要求メッセージは無線リソース制御（ＲＲＣ：Ｒａｄｉｏ  Ｒｅｓｏｕｒｃｅ  Ｃｏｎｔｒｏｌ）メッセージを含む。
【０２８８】
実施例８８は実施例８６または８７のうちのいずれか１つの主題を含み、任意に、該動作は、ｅＮＢをＰＣｅｌｌのドナーｅＮＢ（ＤｅＮＢ：Ｄｏｎｏｒ  ｅＮＢ）として動作させることを含む。
【０２８９】
実施例８９は第１中継ノード（ＲＮ：Ｒｅｌａｙ  Ｎｏｄｅ）による通信を制御する装置を含み、該装置は、プライマリセル（ＰＣｅｌｌ：Ｐｒｉｍａｒｙ  ｃｅｌｌ）のセルラ周波数帯域を通じてドナーエボルブドノードＢ（ＤｅＮＢ：Ｄｏｎｏｒ  ｅｖｏｌｖｅｄ  Ｎｏｄｅ  Ｂ）と通信するための手段；ＰＣｅｌｌ内のセカンダリセカンダリセル（ＳＣｅｌｌ：Ｓｅｃｏｎｄａｒｙ  ｃｅｌｌ）のミリ波（ｍｍＷａｖｅ）周波数帯域を通じてバックホールリンクを介して第２ＲＮと通信するための手段；ＰＣｅｌｌのセルラ周波数帯域を通じて受信された、バックホールリンクを通じたダウンリンク割り当てをスケジューリングするクロスキャリアスケジューリング情報を含む中継物理ダウンリンク制御チャネル（Ｒ−ＰＤＣＣＨ：Ｒｅｌａｙ−Ｐｈｙｓｉｃａｌ−Ｄｏｗｎｌｉｎｋ−Ｃｏｎｔｒｏｌ−Ｃｈａｎｎｅｌ）メッセージを処理するための手段；および、ダウンリンク割り当ての間に第２ＲＮからダウンリンクデータパケットを受信するための手段、を含む。
【０２９０】
実施例９０は実施例８９の主題を含み、任意に、Ｒ−ＰＤＣＣＨメッセージをＤｅＮＢから受信するための手段を含む。
【０２９１】
実施例９１は実施例９０の主題を含み、任意に、ダウンリンクデータパケットは、第２ＲＮを介して中継されたＤｅＮＢからのデータパケットを含む。
【０２９２】
実施例９２は実施例８９または９０の主題を含み、任意に、Ｒ−ＰＤＣＣＨメッセージと関連付けられた送信時間インターバル（ＴＴＩ：Ｔｒａｎｓｍｉｔ  Ｔｉｍｅ  Ｉｎｔｅｒｖａｌ）の間にバックホールリンクを介してダウンリンクデータパケットを受信するための手段を含む。
【０２９３】
実施例９３は実施例８９の主題を含み、任意に、Ｒ−ＰＤＣＣＨメッセージを第２ＲＮから受信するための手段を含む。
【０２９４】
実施例９４は実施例９３の主題を含み、任意に、Ｒ−ＰＤＣＣＨメッセージはセカンダリＲ−ＰＤＣＣＨメッセージを含み、該装置は、セルラ周波数帯域を通じた割り当てをスケジューリングするプライマリＲ−ＰＤＣＣＨメッセージをＤｅＮＢから受信するための手段を含む。
【０２９５】
実施例９５は実施例９４の主題を含み、任意に、ＤｅＮＢからの無線リソース制御（ＲＲＣ：Ｒａｄｉｏ  Ｒｅｓｏｕｒｃｅ  Ｃｏｎｔｒｏｌ）メッセージに従って、ＤｅＮＢに対してはプライマリＲ−ＰＤＣＣＨセットのセッティングを、第２ＲＮに対してはセカンダリＲ−ＰＤＣＣＨセットのセッティングを、設定するための手段を含む。
【０２９６】
実施例９６は実施例９３の主題を含み、任意に、ＤｅＮＢからのハンドオーバ要求に基づいて第１ＲＮをＤｅＮＢから第２ＲＮへハンドオーバするとともに、その第２ＲＮへのハンドオーバの後に第２ＲＮからＲ−ＰＤＣＣＨメッセージを受信するための手段を含む。
【０２９７】
実施例９７はエボルブドノードＢ（ｅＮＢ：ｅｖｏｌｖｅｄ  Ｎｏｄｅ  Ｂ）による通信を制御する装置を含み、この装置は、プライマリセル（ＰＣｅｌｌ：Ｐｒｉｍａｒｙ  ｃｅｌｌ）のセルラ周波数帯域を通じて第１中継ノード（ＲＮ：Ｒｅｌａｙ  Ｎｏｄｅ）および第２ＲＮと通信するための手段；ミリ波（ｍｍＷａｖｅ）周波数帯域を通じて第１バックホールリンクを介して第２ＲＮと通信するための手段；および、第１ＲＮと第２ＲＮとの間での第２バックホールリンクを通じたダウンリンク割り当てをスケジューリングするクロスキャリアスケジューリング情報を含む中継物理ダウンリンク制御チャネル（Ｒ−ＰＤＣＣＨ：Ｒｅｌａｙ−Ｐｈｙｓｉｃａｌ−Ｄｏｗｎｌｉｎｋ−Ｃｏｎｔｒｏｌ−Ｃｈａｎｎｅｌ）メッセージを第１ＲＮに送信するための手段、を含む。
【０２９８】
実施例９８は実施例９７の主題を含み、任意に、第１送信時間インターバル（ＴＴＩ：Ｔｒａｎｓｍｉｔ  Ｔｉｍｅ  Ｉｎｔｅｒｖａｌ）の間に、第１ＴＴＩの後の第２ＴＴＩの間の第２バックホールリンクを通じた第２ＲＮから第１ＲＮへのデータパケットのアップリンク送信をスケジューリングする第１Ｒ−ＰＤＣＣＨメッセージを第２ＲＮに送信し、第２ＴＴＩの間に、第１ＲＮでの第２ＲＮからのデータパケットのダウンリンク受信をスケジューリングする第２Ｒ−ＰＤＣＣＨメッセージを第１ＲＮに送信するための手段を含む。
【０２９９】
実施例９９は実施例９７または９８の主題を含み、任意に、第２バックホールリンクを介して第１ＲＮへ中継されるべきデータパケットを第１バックホールリンクを介して第２ＲＮに送るための手段を含む。
【０３００】
実施例１００は実施例９９の主題を含み、任意に、第２ＲＮによってデータパケットが送られるべき送信時間インターバル（ＴＴＩ：Ｔｒａｎｓｍｉｔ  Ｔｉｍｅ  Ｉｎｔｅｒｖａｌ）をスケジューリングするＲ−ＰＤＣＣＨを送信するための手段を含む。
【０３０１】
実施例１０１は実施例９７〜１００のうちのいずれか１つの主題を含み、任意に、ｅＮＢをＰＣｅｌｌのドナーｅＮＢ（ＤｅＮＢ：Ｄｏｎｏｒ  ｅＮＢ）として動作させるための手段を含む。
【０３０２】
実施例１０２はエボルブドノードＢ（ｅＮＢ：ｅｖｏｌｖｅｄ  Ｎｏｄｅ  Ｂ）による通信を制御する装置を含み、この装置は、プライマリセル（ＰＣｅｌｌ：Ｐｒｉｍａｒｙ  ｃｅｌｌ）のセルラ周波数帯域を通じて第１中継ノード（ＲＮ：Ｒｅｌａｙ  Ｎｏｄｅ）および第２ＲＮと通信するための手段；ミリ波（ｍｍＷａｖｅ）周波数帯域を通じてバックホールリンクを介して第２ＲＮと通信するための手段；ＤｅＮＢと第１ＲＮとの間でプライマリ中継物理ダウンリンク制御チャネル（Ｒ−ＰＤＣＣＨ：Ｒｅｌａｙ−Ｐｈｙｓｉｃａｌ−Ｄｏｗｎｌｉｎｋ−Ｃｏｎｔｒｏｌ−Ｃｈａｎｎｅｌ）メッセージを通信するプライマリＲ−ＰＤＣＣＨセット、および、第２ＲＮと第１ＲＮとの間でセカンダリＲ−ＰＤＣＣＨメッセージを通信するセカンダリＲ−ＰＤＣＣＨセットを設定するための手段；および、プライマリＲ−ＰＤＣＣＨセットおよびセカンダリＲ−ＰＤＣＣＨセットの設定情報を含むメッセージを第１ＲＮに送信するための手段、を含む。
【０３０３】
実施例１０３は実施例１０２の主題を含み、任意に、メッセージは無線リソース制御（ＲＲＣ：Ｒａｄｉｏ  Ｒｅｓｏｕｒｃｅ  Ｃｏｎｔｒｏｌ）メッセージを含む。
【０３０４】
実施例１０４は実施例１０２または１０３の主題を含み、任意に、第１ＲＮへ中継されるべきデータパケットをバックホールリンクを介して第２ＲＮに送るための手段を含む。
【０３０５】
実施例１０５は実施例１０２〜１０４のうちのいずれか１つの主題を含み、任意に、ｅＮＢをＰＣｅｌｌのドナーｅＮＢ（ＤｅＮＢ：Ｄｏｎｏｒ  ｅＮＢ）として動作させるための手段を含む。
【０３０６】
実施例１０６はエボルブドノードＢ（ｅＮＢ：ｅｖｏｌｖｅｄ  Ｎｏｄｅ  Ｂ）による通信を制御する装置を含み、この装置は、プライマリセル（ＰＣｅｌｌ：Ｐｒｉｍａｒｙ  ｃｅｌｌ）のセルラ周波数帯域を通じて第１中継ノード（ＲＮ：Ｒｅｌａｙ  Ｎｏｄｅ）および第２ＲＮと通信するための手段；ミリ波（ｍｍＷａｖｅ）周波数帯域を通じてバックホールリンクを介して第２ＲＮと通信するための手段；第１ＲＮを第２ＲＮにハンドオーバするハンドオーバ要求を第２ＲＮに送信するための手段；第２ＲＮにアタッチするアタッチ要求を第１ＲＮに送信するための手段；および、第１ＲＮへ中継されるべきデータパケットをバックホールリンクを介して第２ＲＮに送信するための手段、を含む。
【０３０７】
実施例１０７は実施例１０６の主題を含み、任意に、ハンドオーバ要求メッセージおよびアタッチ要求メッセージは無線リソース制御（ＲＲＣ：Ｒａｄｉｏ  Ｒｅｓｏｕｒｃｅ  Ｃｏｎｔｒｏｌ）メッセージを含む。
【０３０８】
実施例１０８は実施例１０６または１０７のうちのいずれか１つの主題を含み、任意に、ｅＮＢをＰＣｅｌｌのドナーｅＮＢ（ＤｅＮＢ：Ｄｏｎｏｒ  ｅＮＢ）として動作させるための手段を含む。
【０３０９】
１または複数の実施態様と関連して本明細書に記載された機能、動作、コンポーネントおよび／または特徴は、１または複数の他の実施態様と関連して本明細書に記載された１または複数の他の機能、動作、コンポーネントおよび／または特徴と組み合わされることができ、あるいはこれらと組み合わされて利用されることができ、あるいはその逆も可能である。
【０３１０】
一定の特徴が本明細書において例証され記述されたが、当業者は多くの改変、置換、変更、および同等物に想到するであろう。従って、添付されている請求項は、本開示の真の趣旨に属するような全てのそのような改変および変更を包含するように意図されている。
【図１】
0006404453.tif 000002
【図２】
0006404453.tif 000003
【図３】
0006404453.tif 000004
【図４】
0006404453.tif 000005
【図５】
0006404453.tif 000006
【図６】
0006404453.tif 000007
【図７】
0006404453.tif 000008
【図８】
0006404453.tif 000009
【図９】
0006404453.tif 000010
【図１０】
0006404453.tif 000011
【図１１】
0006404453.tif 000012